(57)【特許請求の範囲】
【請求項１】
マイクロホン装置、外部拡張装置及びテレビ装置を備え、
前記マイクロホン装置は前記外部拡張装置に接続され、且つ前記外部拡張装置と前記テレビ装置との間は１つの集積物理インターフェースを介して接続され、前記テレビ装置は、前記集積物理インターフェースを介して前記外部拡張装置に電力を供給し、信号伝送を行い、
前記マイクロホン装置は、前記外部拡張装置に収集したユーザー音声信号を伝送し、
前記テレビ装置は、前記集積物理インターフェースを介して、前記外部拡張装置に伴奏オーディオ信号を伝送し、
前記外部拡張装置は、前記ユーザー音声信号及び前記伴奏オーディオ信号に対してミキシング処理を行ってミックスド信号を生成し、前記集積物理インターフェースを介して前記テレビ装置の増幅回路に前記ミックスド信号を伝送し、
前記テレビ装置は、さらに、内蔵スピーカーにより前記増幅回路が受信した前記ミックスド信号を再生する
ことを特徴とするオーディオ再生システム。
【請求項２】
前記集積物理インターフェースは、集積回路内蔵のオーディオＩ２Ｓサブインターフェースを備え、前記オーディオＩ２Ｓサブインターフェースは、Ｉ２Ｓ信号を伝送し、
前記テレビ装置は、前記オーディオＩ２Ｓサブインターフェースを介して前記外部拡張装置に前記伴奏オーディオ信号を伝送し、
前記外部拡張装置は、前記オーディオＩ２Ｓサブインターフェースを介して前記増幅回路に前記ミックスド信号を伝送する
ことを特徴とする請求項１に記載のオーディオ再生システム。
【請求項３】
前記集積物理インターフェースはＵＳＢ３．０インターフェースであって、前記ＵＳＢ３．０インターフェースの中のＵＳＢ２．０ピンはＵＳＢ２．０サブインターフェースを構成し、前記ＵＳＢ３．０インターフェースの中のＵＳＢ３．０ピンは前記オーディオＩ２Ｓサブインターフェースを構成し、
前記ＵＳＢ３．０ピンは、第１のピン、第２のピン、第３のピン、第４のピン及び第５のピンを備え、
前記第１のピンは、シリアルクロックＳＣＫ信号を伝送し、
前記第２のピンは、ワード選択ＷＳ信号を伝送し、
前記第３のピンは、シリアルデータ入力ＳＤ  ＩＮを伝送し、
前記第４のピンは、シリアルデータ出力ＳＤ  ＯＵＴを伝送し、
前記第５のピンは、マスタークロックＭＣＬＫ信号、前記ＳＤ  ＩＮ又は前記ＳＤ  ＯＵＴのいずれか１つの信号を伝送する
ことを特徴とする請求項２に記載のオーディオ再生システム。
【請求項４】
前記オーディオＩ２Ｓサブインターフェースは、オン状態及びオフ状態を有し、前記オフ状態にある場合、前記オーディオＩ２Ｓサブインターフェースは前記Ｉ２Ｓ信号の伝送を禁止し、
前記テレビ装置は、前記集積物理インターフェースを介して外部装置に接続されたことが検出された場合、前記外部装置の装置識別子を取得し、
前記テレビ装置は、さらに、前記装置識別子が前記外部装置が前記外部拡張装置であることを示すと、前記オーディオＩ２Ｓサブインターフェースを前記オン状態に設定し、
前記テレビ装置は、さらに、前記装置識別子が前記外部装置が前記外部拡張装置ではないことを示すと、前記オーディオＩ２Ｓサブインターフェースを前記オフ状態に設定する
ことを特徴とする請求項２又は３に記載のオーディオ再生システム。
【請求項５】
前記外部拡張装置は、さらに、前記集積物理インターフェースの中の前記オーディオＩ２Ｓサブインターフェースを介して、前記テレビ装置のアプリケーションプロセッサーＡＰに前記ミックスド信号を伝送し、前記ＡＰは、前記ミックスド信号を録音として記憶する
ことを特徴とする請求項２又は３に記載のオーディオ再生システム。
【請求項６】
前記テレビ装置は、さらに、前記ＵＳＢ２．０サブインターフェースを介するとともに、ＵＳＢオーディオ類ＵＡＣを呼び出して、前記外部拡張装置にＵＳＢ伴奏オーディオ信号を伝送し、
前記外部拡張装置は、さらに、ブリッジチップにより、前記ＵＳＢ伴奏オーディオ信号をＩ２Ｓ伴奏オーディオ信号に変換し、前記ユーザー音声信号及び前記Ｉ２Ｓ伴奏オーディオ信号に対してミキシング処理を行い、前記ブリッジチップによりＩ２Ｓミックスド信号をＵＳＢミックスド信号に変換し、前記ＵＳＢ２．０サブインターフェースを介するとともに、前記ＵＡＣを呼び出して、前記テレビ装置のアプリケーションプロセッサーＡＰに前記ＵＳＢミックスド信号を伝送し、前記ＡＰは、前記ＵＳＢミックスド信号を録音として記憶する
ことを特徴とする請求項３に記載のオーディオ再生システム。
【請求項７】
前記システムは、外部アンプをさらに備え、前記外部拡張装置は、ケーブル出力Ｌｉｎｅ  Ｏｕｔインターフェース又はデジタルオーディオインターフェースＳＰＤＩＦを介して前記外部アンプに接続され、
前記外部拡張装置は、さらに、前記Ｌｉｎｅ  Ｏｕｔインターフェース又は前記ＳＰＤＩＦを介して、前記外部アンプに前記Ｉ２Ｓミックスド信号を伝送し、
前記外部アンプは、受信された前記Ｉ２Ｓミックスド信号を再生する
ことを特徴とする請求項６に記載のオーディオ再生システム。
【請求項８】
ミキシング処理チップ及び前記ミキシング処理チップに電気的に接続された集積物理インターフェースを備える外部拡張装置であって、
前記外部拡張装置は、前記集積物理インターフェースを介してテレビ装置に接続され、前記テレビ装置の電力供給及び信号伝送を受信し、
前記ミキシング処理チップは、前記テレビ装置が前記集積物理インターフェースを介して伝送した伴奏オーディオ信号を取得し、マイクロホン装置が収集したユーザー音声信号及び前記伴奏オーディオ信号に対して、ミキシング処理を行い、
前記ミキシング処理チップは、さらに、前記集積物理インターフェースを介して、前記テレビ装置の増幅回路にミックスド信号を伝送する
ことを特徴とする外部拡張装置。
【請求項９】
前記集積物理インターフェースは、集積回路内蔵のオーディオＩ２Ｓサブインターフェースを備え、前記オーディオＩ２ＳサブインターフェースはＩ２Ｓ信号を伝送し、
前記外部拡張装置は、前記オーディオＩ２Ｓサブインターフェースを介して、前記伴奏オーディオ信号を受信し、また、前記オーディオＩ２Ｓサブインターフェースを介して、前記ミックスド信号を伝送する
ことを特徴とする請求項８に記載の外部拡張装置。
【請求項１０】
前記集積物理インターフェースはＵＳＢ３．０インターフェースであって、前記ＵＳＢ３．０インターフェースの中のＵＳＢ２．０ピンはＵＳＢ２．０サブインターフェースを構成し、前記ＵＳＢ３．０インターフェースの中のＵＳＢ３．０ピンは前記オーディオＩ２Ｓサブインターフェースを構成し、
前記ＵＳＢ３．０ピンは、第１のピン、第２のピン、第３のピン、第４のピン及び第５のピンを備え、
前記第１のピンは、シリアルクロックＳＣＫ信号を伝送し、
前記第２のピンは、ワード選択ＷＳ信号を伝送し、
前記第３のピンは、シリアルデータ入力ＳＤ  ＩＮを伝送し、
前記第４のピンは、シリアルデータ出力ＳＤ  ＯＵＴを伝送し、
前記第５のピンは、マスタークロックＭＣＬＫ信号、前記ＳＤ  ＩＮ又は前記ＳＤ  ＯＵＴのいずれか１つの信号を伝送する
ことを特徴とする請求項９に記載の外部拡張装置。
【請求項１１】
前記外部拡張装置は、ブリッジチップをさらに備え、
前記ブリッジチップの一端は、前記ＵＳＢ２．０サブインターフェースに電気的に接続され、前記ブリッジチップの他端は、前記ミキシング処理チップに電気的に接続され、
前記ブリッジチップは、前記テレビ装置がＵＳＢ２．０サブインターフェースを介して伝送したＵＳＢ伴奏オーディオ信号をＩ２Ｓ伴奏オーディオ信号に変換し、前記ミキシング処理チップに前記Ｉ２Ｓ伴奏オーディオ信号を伝送し、
前記ミキシング処理チップは、前記ユーザー音声信号及び前記Ｉ２Ｓ伴奏オーディオ信号に対してミキシング処理を行い、前記ブリッジチップにＩ２Ｓミックスド信号を伝送し、
前記ブリッジチップは、さらに、前記Ｉ２Ｓミックスド信号をＵＳＢミックスド信号に変換し、前記ＵＳＢ２．０サブインターフェースを介して、前記テレビ装置のアプリケーションプロセッサーＡＰに前記ＵＳＢミックスド信号を伝送し、前記ＡＰは、前記ＵＳＢミックスド信号を録音として記憶する
ことを特徴とする請求項１０に記載の外部拡張装置。
【請求項１２】
前記外部拡張装置は、ケーブル出力Ｌｉｎｅ  Ｏｕｔインターフェース又はデジタルオーディオインターフェースＳＰＤＩＦをさらに備え、
前記外部拡張装置は、前記Ｌｉｎｅ  Ｏｕｔインターフェース又は前記ＳＰＤＩＦを介して、外部アンプに前記Ｉ２Ｓミックスド信号を伝送する
ことを特徴とする請求項１１に記載の外部拡張装置。
【請求項１３】
外部拡張装置に用いられるオーディオ処理方法であって、前記オーディオ処理方法は、
マイクロホン装置が収集したユーザー音声信号を取得するステップと、
テレビ装置との間の集積物理インターフェースを介して、前記テレビ装置が伝送した伴奏オーディオ信号を受信するステップと、
前記ユーザー音声信号及び前記伴奏オーディオ信号に対してミキシング処理を行うステップと、
前記集積物理インターフェースを介して前記テレビ装置の増幅回路にミックスド信号を伝送し、前記テレビ装置は内蔵スピーカーにより前記増幅回路が受信した前記ミックスド信号を再生するステップと、を含む
ことを特徴とするオーディオ処理方法。
【請求項１４】
前記集積物理インターフェースは、集積回路内蔵のオーディオＩ２Ｓサブインターフェースを備え、前記オーディオＩ２Ｓサブインターフェースは、Ｉ２Ｓ信号を伝送し、
前記テレビ装置との間の集積物理インターフェースを介して、前記テレビ装置が伝送した伴奏オーディオ信号を受信するステップは、
前記オーディオＩ２Ｓサブインターフェースを介して、前記テレビ装置が伝送した前記伴奏オーディオ信号を受信するステップを含み、
前記集積物理インターフェースを介して前記テレビ装置の増幅回路にミックスド信号を伝送するステップは、
前記オーディオＩ２Ｓサブインターフェースを介して、前記テレビ装置の増幅回路に前記ミックスド信号を伝送するステップを含む
ことを特徴とする請求項１３に記載のオーディオ処理方法。
【請求項１５】
前記集積物理インターフェースはＵＳＢ３．０インターフェースであって、前記ＵＳＢ３．０インターフェースの中のＵＳＢ２．０ピンはＵＳＢ２．０サブインターフェースを構成し、前記ＵＳＢ３．０インターフェースの中のＵＳＢ３．０ピンは前記オーディオＩ２Ｓサブインターフェースを構成し、
前記ＵＳＢ３．０ピンは、第１のピン、第２のピン、第３のピン、第４のピン及び第５のピンを備え、
前記第１のピンは、シリアルクロックＳＣＫ信号を伝送し、
前記第２のピンは、ワード選択ＷＳ信号を伝送し、
前記第３のピンは、シリアルデータ入力ＳＤ  ＩＮを伝送し、
前記第４のピンは、シリアルデータ出力ＳＤ  ＯＵＴを伝送し、
前記第５のピンは、マスタークロックＭＣＬＫ信号、前記ＳＤ  ＩＮ又は前記ＳＤ  ＯＵＴのいずれか１つの信号を伝送する
ことを特徴とする請求項１４に記載のオーディオ処理方法。
【請求項１６】
前記オーディオ処理方法は、
前記集積物理インターフェースの中の前記オーディオＩ２Ｓサブインターフェースを介して、前記テレビ装置のアプリケーションプロセッサーＡＰに前記ミックスド信号を伝送し、前記ＡＰは、前記ミックスド信号を録音として記憶するステップをさらに含む
ことを特徴とする請求項１４又は１５に記載のオーディオ処理方法。
【請求項１７】
前記テレビ装置は、前記ＵＳＢ２．０サブインターフェースを介するとともに、ＵＡＣを呼び出して、ＵＳＢ伴奏オーディオ信号を伝送し、
前記オーディオ処理方法は、
前記ＵＳＢ２．０サブインターフェースを介して、前記ＵＳＢ伴奏オーディオ信号を受信するステップと、
ブリッジチップにより、前記ＵＳＢ伴奏オーディオ信号をＩ２Ｓ伴奏オーディオ信号に変換するステップと、
前記ユーザー音声信号及び前記Ｉ２Ｓ伴奏オーディオ信号に対してミキシング処理を行ってＩ２Ｓミックスド信号を生成するステップと、
前記ブリッジチップにより、前記Ｉ２Ｓミックスド信号をＵＳＢミックスド信号に変換するステップと、
前記ＵＳＢ２．０サブインターフェースを介するとともに、前記ＵＡＣを呼び出して、前記テレビ装置のアプリケーションプロセッサーＡＰに前記ＵＳＢミックスド信号を伝送し、前記ＡＰは、前記ＵＳＢミックスド信号を録音として記憶するステップと、をさらに含む
ことを特徴とする請求項１５に記載のオーディオ処理方法。
【請求項１８】
前記外部拡張装置は、Ｌｉｎｅ  Ｏｕｔインターフェース又はＳＰＤＩＦを介して、外部アンプに接続され、
前記オーディオ処理方法は、
前記Ｌｉｎｅ  Ｏｕｔインターフェース又は前記ＳＰＤＩＦを介して、前記外部アンプに前記Ｉ２Ｓミックスド信号を伝送し、前記外部アンプは、受信された前記Ｉ２Ｓミックスド信号を再生するステップをさらに含む
ことを特徴とする請求項１７に記載のオーディオ処理方法。
【請求項１９】
テレビ装置に用いられるオーディオ再生方法であって、前記オーディオ再生方法は、
外部拡張装置との間の集積物理インターフェースを介して、前記外部拡張装置に伴奏オーディオ信号を伝送するステップと、
前記集積物理インターフェースを介して、前記外部拡張装置が前記テレビ装置の増幅回路に伝送したミックスド信号を受信し、前記ミックスド信号は、前記外部拡張装置がマイクロホン装置が収集したユーザー音声信号及び前記伴奏オーディオ信号に対して、ミキシング処理を行って生成したものであるステップと、
内蔵スピーカーにより、前記増幅回路が受信した前記ミックスド信号を再生するステップと、を含む
ことを特徴とするオーディオ再生方法。
【請求項２０】
前記集積物理インターフェースは、集積回路内蔵のオーディオＩ２Ｓサブインターフェースを備え、前記オーディオＩ２ＳサブインターフェースはＩ２Ｓ信号を伝送し、
前記外部拡張装置との間の集積物理インターフェースを介して、前記外部拡張装置に伴奏オーディオ信号を伝送するステップは、
前記オーディオＩ２Ｓサブインターフェースを介して、前記外部拡張装置に前記伴奏オーディオ信号を伝送するステップを含む
ことを特徴とする請求項１９に記載のオーディオ再生方法。
【請求項２１】
前記オーディオＩ２Ｓサブインターフェースは、オン状態及びオフ状態を有し、前記オフ状態にある場合、前記オーディオＩ２Ｓサブインターフェースは前記Ｉ２Ｓ信号の伝送を禁止し、
前記オーディオ再生方法は、
前記集積物理インターフェースを介して外部装置に接続されたことが検出された場合、前記外部装置の装置識別子を取得するステップと、
前記装置識別子が前記外部装置が前記外部拡張装置であることを示すと、前記オーディオＩ２Ｓサブインターフェースを前記オン状態に設定するステップと、
前記装置識別子が前記外部装置が前記外部拡張装置ではないことを示すと、前記オーディオＩ２Ｓサブインターフェースを前記オフ状態に設定するステップと、をさらに含む
ことを特徴とする請求項２０に記載のオーディオ再生方法。
【請求項２２】
前記オーディオ再生方法は、
アプリケーションプロセッサーＡＰを介して、前記外部拡張装置が伝送した前記ミックスド信号を受信するステップと、
前記ミックスド信号を録音として記憶するステップと、をさらに含む
ことを特徴とする請求項２０又は２１に記載のオーディオ再生方法。
【請求項２３】
前記集積物理インターフェースはＵＳＢ３．０インターフェースであって、前記ＵＳＢ３．０インターフェースの中のＵＳＢ２．０ピンはＵＳＢ２．０サブインターフェースを構成し、前記ＵＳＢ３．０インターフェースの中のＵＳＢ３．０ピンは前記オーディオＩ２Ｓサブインターフェースを構成し、
前記オーディオ再生方法は、さらに、
前記ＵＳＢ２．０サブインターフェースを介するとともに、ＵＳＢオーディオ類ＵＡＣを呼び出して、前記外部拡張装置にＵＳＢ伴奏オーディオ信号を伝送するステップと、
前記ＵＳＢ２．０サブインターフェースを介して、前記外部拡張装置が伝送したＵＳＢミックスド信号を受信し、前記ＵＳＢミックスド信号は、前記外部拡張装置がブリッジチップを介してＩ２Ｓミックスド信号を変換して得られたものであり、前記Ｉ２Ｓミックスド信号は、前記外部拡張装置が前記ユーザー音声信号及びＩ２Ｓ伴奏オーディオ信号に対してミキシング処理を行って得られたものであり、前記Ｉ２Ｓ伴奏オーディオ信号は、前記外部拡張装置が前記ブリッジチップを介して前記ＵＳＢ伴奏オーディオ信号を変換して得られたものであるステップと、
前記ＵＳＢミックスド信号を録音として記憶するステップとを、含む
ことを特徴とする請求項２０に記載のオーディオ再生方法。
【請求項２４】
マイクロホン装置が収集したユーザー音声信号を取得する第１の取得モジュールと、
テレビ装置との間の集積物理インターフェースを介して、前記テレビ装置が伝送した伴奏オーディオ信号を受信する第１の受信モジュールと、
前記ユーザー音声信号及び前記伴奏オーディオ信号に対してミキシング処理を行う第１の処理モジュールと、
前記集積物理インターフェースを介して、前記テレビ装置の増幅回路にミックスド信号を伝送し、前記テレビ装置は内蔵スピーカーにより前記増幅回路が受信した前記ミックスド信号を再生する第１の伝送モジュールと、を備える
ことを特徴とするオーディオ処理装置。
【請求項２５】
前記集積物理インターフェースは、集積回路内蔵のオーディオＩ２Ｓサブインターフェースを備え、前記オーディオＩ２ＳサブインターフェースはＩ２Ｓ信号を伝送し、
前記第１の受信モジュールは、前記オーディオＩ２Ｓサブインターフェースを介して、前記テレビ装置が伝送した前記伴奏オーディオ信号を受信し、
前記第１の伝送モジュールは、前記オーディオＩ２Ｓサブインターフェースを介して、前記テレビ装置の増幅回路に前記ミックスド信号を伝送する
ことを特徴とする請求項２４に記載のオーディオ処理装置。
【請求項２６】
前記集積物理インターフェースはＵＳＢ３．０インターフェースであって、前記ＵＳＢ３．０インターフェースの中のＵＳＢ２．０ピンはＵＳＢ２．０サブインターフェースを構成し、前記ＵＳＢ３．０インターフェースの中のＵＳＢ３．０ピンは前記オーディオＩ２Ｓサブインターフェースを構成し、
前記ＵＳＢ３．０ピンは、第１のピン、第２のピン、第３のピン、第４のピン及び第５のピンを備え、
前記第１のピンは、シリアルクロックＳＣＫ信号を伝送し、
前記第２のピンは、ワード選択ＷＳ信号を伝送し、
前記第３のピンは、シリアルデータ入力ＳＤ  ＩＮを伝送し、
前記第４のピンは、シリアルデータ出力ＳＤ  ＯＵＴを伝送し、
前記第５のピンは、マスタークロックＭＣＬＫ信号、前記ＳＤ  ＩＮ又は前記ＳＤ  ＯＵＴのいずれか１つの信号を伝送する
ことを特徴とする請求項２５に記載のオーディオ処理装置。
【請求項２７】
前記オーディオ処理装置は、
前記集積物理インターフェースの中の前記オーディオＩ２Ｓサブインターフェースを介して、前記テレビ装置のアプリケーションプロセッサーＡＰに前記ミックスド信号を伝送し、前記ＡＰは、前記ミックスド信号を録音として記憶する第２の伝送モジュールをさらに備える
ことを特徴とする請求項２５又は２６に記載のオーディオ処理装置。
【請求項２８】
前記テレビ装置は、前記ＵＳＢ２．０サブインターフェースを介するとともに、ＵＡＣを呼び出して、ＵＳＢ伴奏オーディオ信号を伝送し、
前記オーディオ処理装置は、
前記ＵＳＢ２．０サブインターフェースを介して、前記ＵＳＢ伴奏オーディオ信号を受信する第２の受信モジュールと、
ブリッジチップにより、前記ＵＳＢ伴奏オーディオ信号をＩ２Ｓ伴奏オーディオ信号に変換する第１の変換モジュールと、
前記ユーザー音声信号及び前記Ｉ２Ｓ伴奏オーディオ信号に対してミキシング処理を行ってＩ２Ｓミックスド信号を生成する第２の処理モジュールと、
前記ブリッジチップにより、前記Ｉ２Ｓミックスド信号をＵＳＢミックスド信号に変換する第２の変換モジュールと、
前記ＵＳＢ２．０サブインターフェースを介するとともに、前記ＵＡＣを呼び出して、前記テレビ装置のアプリケーションプロセッサーＡＰに前記ＵＳＢミックスド信号を伝送し、前記ＡＰは、前記ＵＳＢミックスド信号を録音として記憶する第３の伝送モジュールと、をさらに備える
ことを特徴とする請求項２６に記載のオーディオ処理装置。
【請求項２９】
前記外部拡張装置は、Ｌｉｎｅ  Ｏｕｔインターフェース又はデジタルオーディオインターフェースＳＰＤＩＦを介して、外部アンプに接続され、
前記オーディオ処理装置は、
前記Ｌｉｎｅ  Ｏｕｔインターフェース又は前記ＳＰＤＩＦを介して、前記外部アンプに前記Ｉ２Ｓミックスド信号を伝送し、前記外部アンプは、受信された前記Ｉ２Ｓミックスド信号を再生する第４の伝送モジュールをさらに備える
ことを特徴とする請求項２８に記載のオーディオ処理装置。
【請求項３０】
外部拡張装置との間の集積物理インターフェースを介して、前記外部拡張装置に伴奏オーディオ信号を伝送する第５の伝送モジュールと、
前記集積物理インターフェースを介して、前記外部拡張装置が出力したミックスド信号を受信し、前記ミックスド信号は、前記外部拡張装置がマイクロホン装置が収集したユーザー音声信号及び前記伴奏オーディオ信号に対して、ミキシング処理を行って生成したものである第３の受信モジュールと、
内蔵スピーカーにより、前記第３の受信モジュールが受信した前記ミックスド信号を再生する再生モジュールと、を備える
ことを特徴とするオーディオ再生装置。
【請求項３１】
前記集積物理インターフェースは、集積回路内蔵のオーディオＩ２Ｓサブインターフェースを備え、前記オーディオＩ２ＳサブインターフェースはＩ２Ｓ信号を伝送し、
前記第５の伝送モジュールは、前記オーディオＩ２Ｓサブインターフェースを介して、前記外部拡張装置に前記伴奏オーディオ信号を伝送する
ことを特徴とする請求項３０に記載のオーディオ再生装置。
【請求項３２】
前記オーディオＩ２Ｓサブインターフェースは、オン状態及びオフ状態を有し、前記オフ状態にある場合、前記オーディオＩ２Ｓサブインターフェースは前記Ｉ２Ｓ信号の伝送を禁止し、
前記オーディオ再生装置は、
前記集積物理インターフェースを介して外部装置に接続されたことが検出された場合、前記外部装置の装置識別子を取得する検出モジュールと、
前記装置識別子が前記外部装置が前記外部拡張装置であることを示すと、前記オーディオＩ２Ｓサブインターフェースを前記オン状態に設定する第１の設定モジュールと、
前記装置識別子が前記外部装置が前記外部拡張装置ではないことを示すと、前記オーディオＩ２Ｓサブインターフェースを前記オフ状態に設定する第２の設定モジュールと、をさらに備える
ことを特徴とする請求項３１に記載のオーディオ再生装置。
【請求項３３】
前記オーディオ再生装置は、
アプリケーションプロセッサーＡＰを介して、前記外部拡張装置が伝送した前記ミックスド信号を受信する第４の受信モジュールと、
前記ミックスド信号を録音として記憶する第１の記憶モジュールと、をさらに備える
ことを特徴とする請求項３１又は３２に記載のオーディオ再生装置。
【請求項３４】
前記集積物理インターフェースはＵＳＢ３．０インターフェースであって、前記ＵＳＢ３．０インターフェースの中のＵＳＢ２．０ピンはＵＳＢ２．０サブインターフェースを構成し、前記ＵＳＢ３．０インターフェースの中のＵＳＢ３．０ピンは前記オーディオＩ２Ｓサブインターフェースを構成し、
前記オーディオ再生装置は、
前記ＵＳＢ２．０サブインターフェースを介するとともに、ＵＳＢオーディオ類ＵＡＣを呼び出して、前記前記外部拡張装置にＵＳＢ伴奏オーディオ信号を伝送する第６の伝送モジュールと、
前記ＵＳＢ２．０サブインターフェースを介して、前記外部拡張装置が伝送したＵＳＢミックスド信号を受信し、前記ＵＳＢミックスド信号は、前記外部拡張装置がブリッジチップによりＩ２Ｓミックスド信号を変換して得られたものであり、前記Ｉ２Ｓミックスド信号は、前記外部拡張装置が前記ユーザー音声信号及びＩ２Ｓ伴奏オーディオ信号に対してミキシング処理を行って得られたものであり、前記Ｉ２Ｓ伴奏オーディオ信号は、前記外部拡張装置が前記ブリッジチップにより前記ＵＳＢ伴奏オーディオ信号を変換して得たものである第５の受信モジュールと、
前記ＵＳＢミックスド信号を録音として記憶する第２の記憶モジュールと、をさらに備える
ことを特徴とする請求項３１に記載のオーディオ再生装置。
【請求項３５】
プロセッサーと、
プロセッサーで実行可能な指令を記憶するためのメモリとを備え、
前記プロセッサーは、
マイクロホン装置が収集したユーザー音声信号を取得し、
テレビ装置との間の集積物理インターフェースを介して、前記テレビ装置が伝送した伴奏オーディオ信号を受信し、
前記ユーザー音声信号及び前記伴奏オーディオ信号に対してミキシング処理を行い、
前記集積物理インターフェースを介して、前記テレビ装置の増幅回路にミックスド信号を伝送し、前記テレビ装置は内蔵スピーカーにより前記増幅回路が受信した前記ミックスド信号を再生するように構成される
ことを特徴とするオーディオ処理装置。
【請求項３６】
プロセッサーと、
プロセッサーで実行可能な指令を記憶するためのメモリとを備え、
前記プロセッサーは、
外部拡張装置との間の集積物理インターフェースを介して、前記外部拡張装置に伴奏オーディオ信号を伝送し、
前記集積物理インターフェースを介して、前記外部拡張装置が出力したミックスド信号を受信し、前記ミックスド信号は、前記外部拡張装置がマイクロホン装置が収集したユーザー音声信号及び前記伴奏オーディオ信号に対して、ミキシング処理を行って生成したものであり、
内蔵スピーカーにより、前記ミックスド信号を再生するように構成される
ことを特徴とするオーディオ再生装置。
【請求項３７】
プロセッサーに実行されることにより、請求項１３−１８のいずれか１項に記載のオーディオ処理方法を実現する、プログラム。
【請求項３８】
プロセッサーに実行されることにより、請求項１９−２３のいずれか１項に記載のオーディオ再生方法を実現する、プログラム。
【請求項３９】
請求項３７又は請求項３８に記載のプログラムが記録されたコンピュータ読取可能な記録媒体。
【発明の詳細な説明】
【技術分野】
【０００１】
本発明は、オーディオ処理の分野に関し、特にオーディオ再生システム、外部拡張装置、オーディオ再生方法、装置、プログラム、及び記録媒体に関する。
【背景技術】
【０００２】
カラオケ（英文：Ｋａｒａｏｋｅ）は、ユーザーに大いに喜ばれる娯楽レジャー方式である。ユーザーが自宅でカラオケを体験できるようにさせるために、ますます多くのテレビがカラオケ機能をサポートしている。
【０００３】
ユーザーがテレビのカラオケ機能を利用して歌を歌うとき、テレビに内蔵されたカラオケ処理チップは、テレビに接続されたマイクロホンによりユーザー音声信号を取得して、前記ユーザー音声信号を伴奏オーディオ信号と融合させ、さらに、融合されたオーディオ信号に対してミキシング処理を行い、最後に、テレビのアンプにより、処理されたミックスド信号を再生し、これにより、プロフェッショナルカラオケ効果を達成する。しかし、テレビにカラオケ処理チップを内蔵するとコストが高くなり、且つアップグレードに不利になる。
【発明の概要】
【発明が解決しようとする課題】
【０００４】
本発明は、オーディオ再生システム、外部拡張装置、オーディオ再生方法、装置、プログラム、及び記録媒体を提供する。
【課題を解決するための手段】
【０００５】
前記課題を解決するための手段は以下の通りである。
【０００６】
第１の態様は、オーディオ再生システムを提供し、前記システムは、マイクロホン装置、外部拡張装置及びテレビ装置を備え、マイクロホン装置は外部拡張装置に接続され、且つ外部拡張装置とテレビ装置との間は１つの集積物理インターフェースを介して接続され、テレビ装置は、集積物理インターフェースを介して外部拡張装置に電力を供給し、信号伝送を行い、
マイクロホン装置は、外部拡張装置に収集したユーザー音声信号を伝送し、
テレビ装置は、集積物理インターフェースを介して、外部拡張装置に伴奏オーディオ信号を伝送し、
外部拡張装置は、ユーザー音声信号及び伴奏オーディオ信号に対してミキシング処理を行ってミックスド信号を生成し、集積物理インターフェースを介してテレビ装置の増幅回路にミックスド信号を伝送し、
テレビ装置は、さらに、内蔵スピーカーにより増幅回路が受信したミックスド信号を再生する。
【０００７】
選択的に、集積物理インターフェースは、Ｉ２Ｓ（Ｉｎｔｅｒ‐ＩＣ  Ｓｏｕｎｄ，集積回路内蔵オーディオ）サブインターフェースを備え、Ｉ２Ｓサブインターフェースは、Ｉ２Ｓ信号を伝送し、
テレビ装置は、Ｉ２Ｓサブインターフェースを介して外部拡張装置に伴奏オーディオ信号を伝送し、
外部拡張装置は、Ｉ２Ｓサブインターフェースを介して増幅回路にミックスド信号を伝送する。
【０００８】
選択的に、集積物理インターフェースは、ＵＳＢ３．０（Ｕｎｉｖｅｒｓａｌ  Ｓｅｒｉａｌ  Ｂｕｓ３．０、ユニバーサルシリアルバス３．０）インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
ＵＳＢ３．０ピンは、第１のピン、第２のピン、第３のピン、第４のピン及び第５のピンを備え、
第１のピンは、ＳＣＫ（ｃｏｎｔｉｎｕｏｕｓ  Ｓｅｒｉａｌ  Ｃｌｏｃｋ，シリアルクロック）信号を伝送し、
第２のピンは、ＷＳ（Ｗｏｒｄ  Ｓｅｌｅｃｔ，ワード選択）信号を伝送し、
第３のピンは、ＳＤ  ＩＮ（Ｓｅｒｉａｌ  Ｄａｔａ  ＩＮ，シリアルデータ入力）信号を伝送し、
第４のピンは、ＳＤ  ＯＵＴ（Ｓｅｒｉａｌ  Ｄａｔａ  ＯＵＴ，シリアルデータ出力）信号を伝送し、
第５のピンは、ＭＣＬＫ（Ｍａｓｔｅｒ  Ｃｌｏｃｋ，マスタークロック）信号、ＳＤ  ＩＮ又はＳＤ  ＯＵＴのいずれか１つの信号を伝送する。
【０００９】
選択的に、Ｉ２Ｓサブインターフェースは、オン状態及びオフ状態を有し、オフ状態にある場合、Ｉ２ＳサブインターフェースはＩ２Ｓ信号の伝送を禁止し、
テレビ装置は、集積物理インターフェースを介して外部装置に接続されたことが検出された場合、外部装置の装置識別子を取得し、
テレビ装置は、さらに、装置識別子が外部装置が外部拡張装置であることを示すと、Ｉ２Ｓサブインターフェースをオン状態に設定し、
テレビ装置は、さらに、装置識別子が外部装置が外部拡張装置ではないことを示すと、Ｉ２Ｓサブインターフェースをオフ状態に設定する。
【００１０】
選択的に、外部拡張装置は、さらに、集積物理インターフェースの中のＩ２Ｓサブインターフェースを介して、テレビ装置のＡＰ（Ａｐｐｌｉｃａｔｉｏｎ  Ｐｒｏｃｅｓｓｏｒ，アプリケーションプロセッサー）にミックスド信号を伝送し、ＡＰは、ミックスド信号を録音として記憶する。
【００１１】
選択的に、テレビ装置は、さらに、ＵＳＢ２．０サブインターフェースを介するとともに、ＵＡＣ（ＵＳＢ  Ａｕｄｉｏ  Ｃｌａｓｓ，ＵＳＢオーディオ類）を呼び出して、外部拡張装置にＵＳＢ伴奏オーディオ信号を伝送し、
外部拡張装置は、さらに、ブリッジチップにより、ＵＳＢ伴奏オーディオ信号をＩ２Ｓ伴奏オーディオ信号に変換し、ユーザー音声信号及びＩ２Ｓ伴奏オーディオ信号に対してミキシング処理を行い、ブリッジチップによりＩ２Ｓミックスド信号をＵＳＢミックスド信号に変換し、ＵＳＢ２．０サブインターフェースを介するとともに、ＵＡＣを呼び出して、テレビ装置のＡＰにＵＳＢミックスド信号を伝送し、ＡＰは、ＵＳＢミックスド信号を録音として記憶する。
【００１２】
選択的に、前記システムは、外部アンプをさらに備え、外部拡張装置は、Ｌｉｎｅ  Ｏｕｔ（ケーブル出力）インターフェース又はＳＰＤＩＦ（ＳＯＮＹ／ＰＨＩＬＩＰＳ  Ｄｉｇｉｔａｌ  Ｉｎｔｅｒｆａｃｅ  Ｆｏｒｍａｔ，デジタルオーディオインターフェース）を介して外部アンプに接続され、
外部拡張装置は、さらに、Ｌｉｎｅ  Ｏｕｔインターフェース又はＳＰＤＩＦを介して、外部アンプにＩ２Ｓミックスド信号を伝送し、
外部アンプは、受信されたＩ２Ｓミックスド信号を再生する。
【００１３】
第２の態様は、外部拡張装置を提供し、前記外部拡張装置は、
ミキシング処理チップ及びミキシング処理チップに電気的に接続された集積物理インターフェースを備え、
前記外部拡張装置は、集積物理インターフェースを介してテレビ装置に接続され、テレビ装置の電力供給及び信号伝送を受信し、
前記ミキシング処理チップは、テレビ装置が集積物理インターフェースを介して伝送した伴奏オーディオ信号を取得し、マイクロホン装置が収集したユーザー音声信号及び伴奏オーディオ信号に対して、ミキシング処理を行い、
前記ミキシング処理チップは、さらに、集積物理インターフェースを介して、テレビ装置の増幅回路にミックスド信号を伝送する。
【００１４】
選択的に、集積物理インターフェースは、Ｉ２Ｓサブインターフェースを備え、Ｉ２ＳサブインターフェースはＩ２Ｓ信号を伝送し、
外部拡張装置は、Ｉ２Ｓインターフェースを介して、伴奏オーディオ信号を受信し、また、Ｉ２Ｓインターフェースを介して、ミックスド信号を伝送する。
【００１５】
選択的に、集積物理インターフェースはＵＳＢ３．０インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
ＵＳＢ３．０ピンは、第１のピン、第２のピン、第３のピン、第４のピン及び第５のピンを備え、
第１のピンは、ＳＣＫ信号を伝送し、
第２のピンは、ＷＳ信号を伝送し、
第３のピンは、ＳＤ  ＩＮを伝送し、
第４のピンは、ＳＤ  ＯＵＴを伝送し、
第５のピンは、ＭＣＬＫ信号、ＳＤ  ＩＮ又はＳＤ  ＯＵＴのいずれか１つの信号を伝送する。
【００１６】
選択的に、外部拡張装置は、ブリッジチップをさらに備え、
ブリッジチップの一端は、ＵＳＢ２．０サブインターフェースに電気的に接続され、ブリッジチップの他端は、ミキシング処理チップに電気的に接続され、
ブリッジチップは、テレビ装置がＵＳＢ２．０サブインターフェースを介して伝送したＵＳＢ伴奏オーディオ信号を、Ｉ２Ｓ伴奏オーディオ信号に変換し、ミキシング処理チップにＩ２Ｓ伴奏オーディオ信号を伝送し、
ミキシング処理チップは、ユーザー音声信号及びＩ２Ｓ伴奏オーディオ信号に対してミキシング処理を行い、ブリッジチップにＩ２Ｓミックスド信号を伝送し、
ブリッジチップは、さらに、Ｉ２Ｓミックスド信号をＵＳＢミックスド信号に変換し、ＵＳＢ２．０サブインターフェースを介して、テレビ装置のＡＰにＵＳＢミックスド信号を伝送し、ＡＰは、ＵＳＢミックスド信号を録音として記憶する。
【００１７】
選択的に、外部拡張装置は、Ｌｉｎｅ  Ｏｕｔインターフェース又はＳＰＤＩＦをさらに備え、
外部拡張装置は、Ｌｉｎｅ  Ｏｕｔインターフェース又はＳＰＤＩＦを介して、外部アンプにＩ２Ｓミックスド信号を伝送する。
【００１８】
第３の態様は、外部拡張装置に用いられるオーディオ再生方法を提供し、前記方法は、
マイクロホン装置が収集したユーザー音声信号を取得するステップと、
テレビ装置との間の集積物理インターフェースを介して、テレビ装置が伝送した伴奏オーディオ信号を受信するステップと、
ユーザー音声信号及び伴奏オーディオ信号に対してミキシング処理を行うステップと、
集積物理インターフェースを介してテレビ装置の増幅回路にミックスド信号を伝送し、テレビ装置は内蔵スピーカーにより増幅回路が受信したミックスド信号を再生するステップと、を含む。
【００１９】
選択的に、集積物理インターフェースは、Ｉ２Ｓサブインターフェースを備え、Ｉ２Ｓサブインターフェースは、Ｉ２Ｓ信号を伝送し、
テレビ装置との間の集積物理インターフェースを介して、テレビ装置が伝送した伴奏オーディオ信号を受信するステップは、
Ｉ２Ｓサブインターフェースを介して、テレビ装置が伝送した伴奏オーディオ信号を受信するステップを含み、
集積物理インターフェースを介してテレビ装置の増幅回路にミックスド信号を伝送するステップは、
Ｉ２Ｓサブインターフェースを介して、テレビ装置の増幅回路にミックスド信号を伝送するステップを含む。
【００２０】
選択的に、集積物理インターフェースはＵＳＢ３．０インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
ＵＳＢ３．０ピンは、第１のピン、第２のピン、第３のピン、第４のピン及び第５のピンを備え、
第１のピンは、ＳＣＫ信号を伝送し、
第２のピンは、ＷＳ信号を伝送し、
第３のピンは、ＳＤ  ＩＮを伝送し、
第４のピンは、ＳＤ  ＯＵＴを伝送し、
第５のピンは、ＭＣＬＫ信号、ＳＤ  ＩＮ又はＳＤ  ＯＵＴのいずれか１つの信号を伝送する。
【００２１】
選択的に、前記方法は、
集積物理インターフェースの中のＩ２Ｓサブインターフェースを介して、テレビ装置のＡＰにミックスド信号を伝送し、ＡＰは、ミックスド信号を録音として記憶するステップをさらに含む。
【００２２】
選択的に、テレビ装置は、ＵＳＢ２．０サブインターフェースを介するとともに、ＵＡＣを呼び出して、ＵＳＢ伴奏オーディオ信号を伝送し、
前記方法は、
ＵＳＢ２．０サブインターフェースを介して、ＵＳＢ伴奏オーディオ信号を受信するステップと、
ブリッジチップにより、ＵＳＢ伴奏オーディオ信号をＩ２Ｓ伴奏オーディオ信号に変換するステップと、
ユーザー音声信号及びＩ２Ｓ伴奏オーディオ信号に対してミキシング処理を行ってＩ２Ｓミックスド信号を生成するステップと、
ブリッジチップにより、Ｉ２Ｓミックスド信号をＵＳＢミックスド信号に変換するステップと、
ＵＳＢ２．０サブインターフェースを介するとともに、ＵＡＣを呼び出して、テレビ装置のＡＰにＵＳＢミックスド信号を伝送し、ＡＰは、ＵＳＢミックスド信号を録音として記憶するステップと、をさらに含む。
【００２３】
選択的に、外部拡張装置は、Ｌｉｎｅ  Ｏｕｔインターフェース又はＳＰＤＩＦを介して、外部アンプに接続され、
前記方法は、
Ｌｉｎｅ  Ｏｕｔインターフェース又はＳＰＤＩＦを介して、外部アンプにＩ２Ｓミックスド信号を伝送し、外部アンプは、受信されたＩ２Ｓミックスド信号を再生するステップをさらに含む。
【００２４】
第４の態様は、テレビ装置に用いられるオーディオ再生方法を提供し、前記方法は、
外部拡張装置との間の集積物理インターフェースを介して、外部拡張装置に伴奏オーディオ信号を伝送するステップと、
集積物理インターフェースを介して、外部拡張装置がテレビ装置の増幅回路に伝送したミックスド信号を受信し、ミックスド信号は、外部拡張装置がマイクロホン装置が収集したユーザー音声信号及び伴奏オーディオ信号に対して、ミキシング処理を行って生成したものであるステップと、
内蔵スピーカーにより、増幅回路が受信したミックスド信号を再生するステップと、を含む。
【００２５】
選択的に、集積物理インターフェースは、Ｉ２Ｓサブインターフェースを備え、Ｉ２ＳサブインターフェースはＩ２Ｓ信号を伝送し、
外部拡張装置との間の集積物理インターフェースを介して、外部拡張装置に伴奏オーディオ信号を伝送するステップは、
Ｉ２Ｓサブインターフェースを介して、外部拡張装置に伴奏オーディオ信号を伝送するステップを含む。
【００２６】
選択的に、Ｉ２Ｓサブインターフェースは、オン状態及びオフ状態を有し、オフ状態にある場合、Ｉ２ＳサブインターフェースはＩ２Ｓ信号の伝送を禁止し、
前記方法は、
集積物理インターフェースを介して外部装置に接続されたことが検出された場合、外部装置の装置識別子を取得するステップと、
装置識別子が外部装置が外部拡張装置であることを示すと、Ｉ２Ｓサブインターフェースをオン状態に設定するステップと、
装置識別子が外部装置が外部拡張装置ではないことを示すと、Ｉ２Ｓサブインターフェースをオフ状態に設定するステップと、をさらに含む。
【００２７】
前記方法は、
ＡＰにより、外部拡張装置が伝送したミックスド信号を受信するステップと、
ミックスド信号を録音として記憶するステップと、をさらに含む。
【００２８】
選択的に、集積物理インターフェースはＵＳＢ３．０インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
前記方法は、
ＵＳＢ２．０サブインターフェースを介するとともに、ＵＡＣを呼び出して外部拡張装置にＵＳＢ伴奏オーディオ信号を伝送するステップと、
ＵＳＢ２．０サブインターフェースを介して、外部拡張装置が伝送したＵＳＢミックスド信号を受信し、ＵＳＢミックスド信号は、外部拡張装置がブリッジチップによりＩ２Ｓミックスド信号を変換して得られたものであり、Ｉ２Ｓミックスド信号は、外部拡張装置がユーザー音声信号及びＩ２Ｓ伴奏オーディオ信号に対してミキシング処理を行って得られたのであり，Ｉ２Ｓ伴奏オーディオ信号は、外部拡張装置がブリッジチップによりＵＳＢ伴奏オーディオ信号を変換して得られたものであるステップと、
ＵＳＢミックスド信号を録音として記憶するステップと、をさらに含む。
【００２９】
第５の態様は、オーディオ再生装置を提供し、前記装置は、
マイクロホン装置が収集したユーザー音声信号を取得する第１の取得モジュールと、
テレビ装置との間の集積物理インターフェースを介して、テレビ装置が伝送した伴奏オーディオ信号を受信する第１の受信モジュールと、
ユーザー音声信号及び伴奏オーディオ信号に対してミキシング処理を行う第１の処理モジュールと、
集積物理インターフェースを介して、テレビ装置の増幅回路にミックスド信号を伝送し、テレビ装置は内蔵スピーカーにより増幅回路が受信したミックスド信号を再生する第１の伝送モジュールと、を備えることを特徴としている。
【００３０】
選択的に、集積物理インターフェースは、Ｉ２Ｓサブインターフェースを備え、Ｉ２ＳサブインターフェースはＩ２Ｓ信号を伝送し、
第１の受信モジュールは、Ｉ２Ｓサブインターフェースを介して、テレビ装置が伝送した伴奏オーディオ信号を受信し、
第１の伝送モジュールは、Ｉ２Ｓサブインターフェースを介して、テレビ装置の増幅回路にミックスド信号を伝送する。
【００３１】
選択的に、集積物理インターフェースはＵＳＢ３．０インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
ＵＳＢ３．０ピンは、第１のピン、第２のピン、第３のピン、第４のピン及び第５のピンを備え、
第１のピンは、ＳＣＫ信号を伝送し、
第２のピンは、ＷＳ信号を伝送し、
第３のピンは、ＳＤ  ＩＮを伝送し、
第４のピンは、ＳＤ  ＯＵＴを伝送し、
第５のピンは、ＭＣＬＫ信号、ＳＤ  ＩＮ又はＳＤ  ＯＵＴのいずれか１つの信号を伝送する。
【００３２】
選択的に、前記装置は、
集積物理インターフェースの中のＩ２Ｓサブインターフェースを介して、テレビ装置のＡＰにミックスド信号を伝送し、ＡＰは、ミックスド信号を録音として記憶する第２の伝送モジュールをさらに備える。
【００３３】
選択的に、テレビ装置は、ＵＳＢ２．０サブインターフェースを介するとともに、ＵＡＣを呼び出して、ＵＳＢ伴奏オーディオ信号を伝送し、
前記装置は、
ＵＳＢ２．０サブインターフェースを介して、ＵＳＢ伴奏オーディオ信号を受信する第２の受信モジュールと、
ブリッジチップにより、ＵＳＢ伴奏オーディオ信号をＩ２Ｓ伴奏オーディオ信号に変換する第１の変換モジュールと、
ユーザー音声信号及びＩ２Ｓ伴奏オーディオ信号に対してミキシング処理を行ってＩ２Ｓミックスド信号を生成する第２の処理モジュールと、
ブリッジチップにより、Ｉ２Ｓミックスド信号をＵＳＢミックスド信号に変換する第２の変換モジュールと、
ＵＳＢ２．０サブインターフェースを介して、また、ＵＡＣを呼び出して、テレビ装置のＡＰにＵＳＢミックスド信号を伝送し、ＡＰは、ＵＳＢミックスド信号を録音として記憶する第３の伝送モジュールと、をさらに備える。
【００３４】
選択的に、外部拡張装置は、Ｌｉｎｅ  Ｏｕｔインターフェース又はＳＰＤＩＦを介して、外部アンプに接続され、
前記装置は、
Ｌｉｎｅ  Ｏｕｔインターフェース又はＳＰＤＩＦを介して、外部アンプにＩ２Ｓミックスド信号を伝送し、外部アンプは、受信されたＩ２Ｓミックスド信号を再生する第４の伝送モジュールをさらに備える。
【００３５】
第６の態様は、オーディオ再生装置を提供し、前記装置は、
外部拡張装置との間の集積物理インターフェースを介して、外部拡張装置に伴奏オーディオ信号を伝送する第５の伝送モジュールと、
集積物理インターフェースを介して、外部拡張装置がテレビ装置の増幅回路に伝送したミックスド信号を受信し、ミックスド信号は、外部拡張装置がマイクロホン装置が収集したユーザー音声信号及び伴奏オーディオ信号に対して、ミキシング処理を行って生成したものである第３の受信モジュールと、
内蔵スピーカーにより、増幅回路が受信したミックスド信号を再生する再生モジュールと、を備える。
【００３６】
選択的に、集積物理インターフェースは、Ｉ２Ｓサブインターフェースを備え、Ｉ２ＳサブインターフェースはＩ２Ｓ信号を伝送し、
第５の伝送モジュールは、Ｉ２Ｓサブインターフェースを介して、外部拡張装置に伴奏オーディオ信号を伝送する。
【００３７】
選択的に、Ｉ２Ｓサブインターフェースは、オン状態及びオフ状態を有し、オフ状態にある場合、Ｉ２ＳサブインターフェースはＩ２Ｓ信号の伝送を禁止し、
前記装置は、
集積物理インターフェースを介して外部装置に接続されたことが検出された場合、外部装置の装置識別子を取得する検出モジュールと、
装置識別子が外部装置が外部拡張装置であることを示すと、Ｉ２Ｓサブインターフェースをオン状態に設定する第１の設定モジュールと、
装置識別子が外部装置が外部拡張装置ではないことを示すと、Ｉ２Ｓサブインターフェースをオフ状態に設定する第２の設定モジュールと、をさらに備える。
【００３８】
選択的に、前記装置は、
ＡＰにより、外部拡張装置が伝送したミックスド信号を受信する第４の受信モジュールと、
ミックスド信号を録音として記憶する第１の記憶モジュールと、をさらに備える。
【００３９】
選択的に、集積物理インターフェースはＵＳＢ３．０インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
前記装置は、
ＵＳＢ２．０サブインターフェースを介するとともに、ＵＡＣを呼び出して、前記外部拡張装置にＵＳＢ伴奏オーディオ信号を伝送する第６の伝送モジュールと、
ＵＳＢ２．０サブインターフェースを介して、外部拡張装置が伝送したＵＳＢミックスド信号を受信し、ＵＳＢミックスド信号は、外部拡張装置がブリッジチップによりＩ２Ｓミックスド信号を変換して得られたものであり、Ｉ２Ｓミックスド信号は、外部拡張装置がユーザー音声信号及びＩ２Ｓ伴奏オーディオ信号に対してミキシング処理を行って得られたものであり、Ｉ２Ｓ伴奏オーディオ信号は、外部拡張装置がブリッジチップによりＵＳＢ伴奏オーディオ信号を変換して得られたものである第５の受信モジュールと、
ＵＳＢミックスド信号を録音として記憶する第２の記憶モジュールと、をさらに備える。
【００４０】
第７の態様は、オーディオ再生装置を提供し、前記装置は、
プロセッサーと、
プロセッサーで実行可能な指令を記憶するためのメモリとを備え、
前記プロセッサーは、
マイクロホン装置が収集したユーザー音声信号を取得し、
テレビ装置との間の集積物理インターフェースを介して、テレビ装置が伝送した伴奏オーディオ信号を受信し、
ユーザー音声信号及び伴奏オーディオ信号に対してミキシング処理を行い、
集積物理インターフェースを介して、テレビ装置の増幅回路にミックスド信号を伝送し、テレビ装置は内蔵スピーカーにより増幅回路が受信したミックスド信号を再生するように構成される。
【００４１】
第８の態様は、オーディオ再生装置を提供し、前記装置は、
プロセッサーと、
プロセッサーで実行可能な指令を記憶するためのメモリとを備え、
前記プロセッサーは、
外部拡張装置との間の集積物理インターフェースを介して、外部拡張装置に伴奏オーディオ信号を伝送し、
集積物理インターフェースを介して、外部拡張装置がテレビ装置の増幅回路に伝送したミックスド信号を受信し、ミックスド信号は、外部拡張装置がマイクロホン装置が収集したユーザー音声信号及び伴奏オーディオ信号に対して、ミキシング処理を行って生成したものであり、
内蔵スピーカーにより、増幅回路が受信したミックスド信号を再生するように構成される。
【００４２】
第９の態様は、プロセッサーに実行されることにより、上記オーディオ処理方法を実現する、プログラムを提供する。
【００４３】
第１０の態様は、プロセッサーに実行されることにより、上記オーディオ再生方法を実現する、プログラムを提供する。
【００４４】
第１１の態様は、上記プログラムが記録されたコンピュータ読取可能な記録媒体を提供する。
【発明の効果】
【００４５】
本発明に提供された技術的案によれば、以下のような技術効果が奏される。
【００４６】
外部拡張装置により、マイクロホン装置が収集したユーザー音声信号及びテレビ装置が伝送した伴奏オーディオ信号に対してミキシング処理を行ってミックスド信号を取得し、さらに、テレビ装置との間の集積物理インターフェースを介して、ミックスド信号をテレビ装置の増幅回路に返送し、テレビ装置の内蔵スピーカーにより、ミックスド信号を再生することによって、テレビにカラオケ処理チップを内装することによってコストが高くなり、且つアップグレードに不利になる問題が解決され、カラオケ機能を外部拡張装置に集積することができ、また、前記外部拡張装置を利用してミックスド信号を生成してテレビ装置に返送し、最終的に、テレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になる。
【００４７】
なお、前記一般的な記載及び後述の詳細な記載は、単なる例示的で解釈的な記載であり、本発明を限定しない。
【図面の簡単な説明】
【００４８】
ここの図面は、明細書に組み入れて本明細書の一部分を構成し、本発明に該当する実施例を例示するとともに、明細書とともに本発明の原理を解釈する。
【図１】一例示的な実施例により提供されるオーディオ再生システムを示すシステムアーキテクチャー図である。
【図２Ａ】図１に示すオーディオ再生システムの信号伝送方式を示す図である。
【図２Ｂ】一実施例により提供される集積物理インターフェースを示す図である。
【図２Ｃ】図１に示すオーディオ再生システムの他の信号伝送方式を示す図である。
【図３】一例示的な実施例により提供される外部拡張装置及びテレビ装置の構造を示す図である。
【図４】一例示的な実施例により提供されるオーディオ再生方法を示すフローチャートである。
【図５】他の例示的な実施例により提供されるオーディオ再生方法を示すフローチャートである。
【図６Ａ】さらに他の例示的な実施例により提供されるオーディオ再生方法を示すフローチャートである。
【図６Ｂ】さらに他の例示的な実施例により提供されるオーディオ再生方法を示すフローチャートである。
【図６Ｃ】さらに他の例示的な実施例により提供されるオーディオ再生方法を示すフローチャートである。
【図６Ｄ】さらに他の例示的な実施例により提供されるオーディオ再生方法を示すフローチャートである。
【図６Ｅ】さらに他の例示的な実施例により提供されるオーディオ再生方法を示すフローチャートである。
【図７】一例示的な実施例により提供されるオーディオ処理装置の構造を示す図である。
【図８】他の例示的な実施例により提供されるオーディオ処理装置の構造を示す図である。
【図９】さらに他の例示的な実施例により提供されるオーディオ再生装置の構造を示す図である。
【図１０】さらに他の例示的な実施例により提供されるオーディオ再生装置の構造を示す図である。
【図１１】一例示的な実施例に係るテレビ装置を示すブロックチャートである。
【発明を実施するための形態】
【００４９】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００５０】
図１は、一例示的な実施例により提供されるオーディオ再生システムを示すシステムアーキテクチャー図である。前記オーディオ再生システムは、マイクロホン装置１１０、外部拡張装置１２０及びテレビ装置１３０を備える。
【００５１】
マイクロホン装置１１０は、ユーザー音声信号を収集するとともに、外部拡張装置１２０に前記ユーザー音声信号を伝送する。前記マイクロホン装置は、例えば、１１０ケーブルにより外界拡張装置１２０に接続されるマイクであってもよい。
【００５２】
マイクロホン装置１１０と外部拡張装置１２０との間は、有線又は無線で接続される。
【００５３】
外部拡張装置１２０は、オーディオ処理及び伝送機能を有する電子装置である。外部拡張装置１２０は、集積物理インターフェースを備え、また、前記集積物理インターフェースを介してテレビ装置１３０と電気的に接続され、テレビ装置１３０からの電力供給を受信するとともに、テレビ装置１３０と信号伝送を行う。ここで、前記集積物理インターフェースは、ＵＳＢ２．０インターフェース、ＵＳＢ３．０インターフェース、Ｔｙｐｅ  Ｃ（タイプＣ）インターフェース又はＬｉｇｈｔｎｉｎｇ（ライトニング）インターフェース等であってもよく、例えば、図１に示すように、前記外部拡張装置１２０は、ＵＳＢ３．０インターフェースが配置されたＵＳＢ装置として実現されることができる。
【００５４】
テレビ装置１３０は、音声映像再生機能を有する電子装置であって、前記テレビ装置は、スマートテレビ又はスピーカー付きプロジェクター等であってもよい。テレビ装置１３０は、外部拡張装置１２０が伝送したミックスド信号を受信するとともに、内蔵スピーカーにより前記ミックスド信号を再生し、ここで、前記ミックスド信号は、ユーザー音声信号及び伴奏オーディオ信号により生成される。なお、前記テレビ装置１３０は、スマートテレビボックス＋テレビの組合せとしても実現されることができ、外部拡張装置１２０とスマートテレビボックスは、集積物理インターフェースを介して接続される。
【００５５】
選択的に、前記オーディオ再生システムは、外部拡張装置１２０に接続される外部アンプ１４０をさらに備えてもよい。
【００５６】
外部アンプ１４０は、外部拡張装置１２０に接続されるスピーカーであってもよく、外部拡張装置１２０が伝送したミックスド信号を受信するとともに、再生する。
【００５７】
図１に示すオーディオ再生システムを利用してカラオケを行うとき、図２Ａに示すように、マイクロホン装置１１０は、外部拡張装置１２０に収集したユーザー音声信号を伝送する。
【００５８】
カラオケを行うとき、マイクロホン装置は、ユーザー音声信号を収集する役割を担うとともに、外部拡張装置との間の接続によって、収集されたユーザー音声信号を外部拡張装置１２０にリアルタイムに伝送する。
【００５９】
テレビ装置１３０は、集積物理インターフェースを介して、外部拡張装置１２０に伴奏オーディオ信号を伝送する。
【００６０】
外部拡張装置が集積物理インターフェースを介してテレビ装置に接続された後、テレビ装置は、前記集積物理インターフェースを介して外部拡張装置に電力を供給し、外部拡張装置がユーザー音声信号及び伴奏オーディオ信号がミキシング処理されるように、ユーザーが歌うと同時に、前記集積物理インターフェースを介して外部拡張装置に伴奏音信信号を伝送する。
【００６１】
外部拡張装置１２０は、ユーザー音声信号及び伴奏オーディオ信号に対してミキシング処理を行ってミックスド信号を生成し、集積物理インターフェースを介してテレビ装置１３０の増幅回路にミックスド信号を伝送する。
【００６２】
外部拡張装置は、ユーザー音声信号及び伴奏オーディオ信号を受信した後、ユーザー音声信号及び伴奏オーディオ信号に対して融合を行い、また、融合後の音声信号に対してミキシング処理を行い、相応のミックスド信号を生成する。ミックスド信号を生成した後、外部拡張装置は、集積物理インターフェースを介してテレビ装置に前記ミックスド信号を返送して、テレビ装置の内蔵スピーカーによって再生する。なお、遅延を下げるために、前記集積物理インターフェースを介して伝送したミックスド信号は、テレビ装置のＡＰに（ＡＰを介してミックスド信号を増幅回路に伝送すると、大きな遅延が存在する）伝送されずに、テレビ装置の増幅回路に直接に伝送される。
【００６３】
テレビ装置の内蔵スピーカーが受信されたミックスド信号を直接に再生できるようにするために、一可能な実施形態において、外部拡張装置１２０とテレビ装置１３０との間の集積物理インターフェースは、Ｉ２Ｓサブインターフェース（Ｉ２ＳサブインターフェースはＩ２Ｓ信号を伝送する）を備え、テレビ装置は、前記Ｉ２Ｓサブインターフェースを介して外部拡張装置に伴奏オーディオ信号を伝送し、外部拡張装置１２０は、前記Ｉ２Ｓサブインターフェースを介して直接にテレビ装置の増幅回路にミックスド信号を伝送する。
【００６４】
なお、他の可能な実施形態において、前記Ｉ２Ｓサブインターフェースは、ＰＣＭ（Ｐｕｌｓｅ  Ｃｏｄｅ  Ｍｏｄｕｌａｔｉｏｎ，パルス符号変調）サブインターフェースとして置き換われてもよく、本実施例では、これに対して限定しない。
【００６５】
テレビ装置１３０は、さらに、内蔵スピーカーにより、増幅回路が受信したミックスド信号を再生する。
【００６６】
テレビ装置は、内蔵増幅回路により外部拡張装置が伝送したミックスド信号を受信するとともに、内蔵スピーカーを用いて前記ミックスド信号を再生する。前記ミックスド信号は、テレビ装置のＡＰを介して増幅回路に伝送されずに、増幅回路に直接に伝送されるので、ユーザー体験の面では、ユーザーの歌とテレビ装置がミックスを再生する間の遅延が小さく、ユーザー体験がよい。
【００６７】
Ｉ２Ｓサブインターフェースを介して伝送されたＩ２Ｓ信号は、データだけではなく、相応のクロック信号も含み、このため、一可能な実施形態において、外部拡張装置とテレビ装置との間の集積物理インターフェースはＵＳＢ３．０インターフェースであって、即ち、外部拡張装置にはＵＳＢ３．０メスが配置され、テレビ装置にはＵＳＢ３．０オスが配置される。
【００６８】
ここで、前記ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成する。即ち、外部拡張装置とテレビ装置が信号伝送を行うとき、ＵＳＢ３．０ピンから構成されるＩ２Ｓサブインターフェースを介して信号伝送（伴奏オーディオ信号及びミックスド信号）を行う。
【００６９】
具体的には、ＵＳＢ３．０ピンは、第１のピン、第２のピン、第３のピン、第４のピン及び第５のピンを備え、ここで、第１のピンは、ＳＣＫ信号を伝送し、第２のピンは、ＷＳ信号を伝送し、第３のピンは、ＳＤ  ＩＮを伝送し、第４のピンは、ＳＤ  ＯＵＴを伝送し、第５のピンは、ＭＣＬＫ信号、ＳＤ  ＩＮ又はＳＤ  ＯＵＴのいずれか１つの信号を伝送する。
【００７０】
ＳＣＫ信号は、データ伝送を同期させて、受信端がＩ２Ｓ信号を受信するときに、クロックの非同期による受信エラーを避け、ＷＳ信号は、Ｉ２Ｓ信号の中のデータの左右チャネルを示し、ＳＤ  ＩＮは入力データであって、且つＳＤ  ＩＮは、左右両チャネルのデータを含み、ＳＤ  ＯＵＴは、出力データであって、且つＳＤ  ＯＵＴも左右両チャネルのデータを含む。第５のピンは、ＭＣＬＫ信号、ＳＤ  ＩＮ又はＳＤ  ＯＵＴを伝送してもよく、第５のピンがＳＤ  ＩＮ又はＳＤ  ＯＵＴを伝送するとき、テレビ装置は、前記Ｉ２Ｓサブインターフェースを介して、外部拡張装置に４チャンネルのオーディオ伴奏信号を伝送でき、相応的に、前記外部拡張装置は、前記Ｉ２Ｓサブインターフェースを介して、テレビ装置に４チャンネルのミックスド信号を返送でき、最終的に４チャネル再生を実現することができる。
【００７１】
例えば、図２Ｂに示すように、集積物理インターフェースはＵＳＢ３．０インターフェースであって、ここで、ＵＳＢ３．０の中のＧＮＤピン、Ｄ−ピン、Ｄ＋ピン及びＶＣＣピンはＵＳＢ２．０サブインターフェースを構成し、ＵＳＢ３．０の中のＳＳ＿ＲＸ＋ピン、ＳＳ＿ＲＸ−ピン、ＳＳ＿ＴＸ＋ピン、ＳＳ＿ＴＸ−ピン及びＧＮＤ＿ＤＲＡＩＮピンはＩ２Ｓサブインターフェースを構成し、それぞれがＳＣＫ信号、ＷＳ信号、ＳＤ  ＩＮ、  ＳＤ  ＯＵＴ及びＭＣＬＫ信号を伝送する。
【００７２】
テレビ装置の集積物理インターフェース（オス）は、前記外部拡張装置に接続されるだけではなく、他の外部装置にも接続されることができる。テレビ装置が外部拡張装置に接続された場合、テレビ装置は、Ｉ２Ｓサブインターフェースを介して外部拡張装置と信号伝送を行う必要があり、テレビ装置が他の外部装置（例えば、ＵＳＢ３．０標準装置）に接続された場合、前記Ｉ２Ｓサブインターフェースに対応するピンは、Ｉ２Ｓ信号を伝送するために使われるわけではない場合もある。
【００７３】
したがって、信号伝送エラー及び集積物理インターフェースの破損を避けるために、一可能な実施形態において、集積物理インターフェースの中のＩ２Ｓサブインターフェースはオン状態及びオフ状態を有し、テレビ装置が外部拡張装置に接続された場合、前記Ｉ２Ｓサブインターフェースはオン状態にあり、前記Ｉ２ＳサブインターフェースはＩ２Ｓ信号を伝送することができ、テレビ装置が外部拡張装置に接続された場合、前記Ｉ２Ｓサブインターフェースはオフ状態にあり、Ｉ２ＳサブインターフェースはＩ２Ｓ信号の伝送を禁止する。具体的には、テレビ装置１３０は、集積物理インターフェースを介して外部装置に接続されたことが検出された場合、外部装置の装置識別子を取得する。
【００７４】
テレビ装置は、外部装置が接続されたことを検出したとき、前記外部装置の装置識別子を取得し、前記装置識別子と外部拡張装置の識別子が同じであるかどうかを検出する。
【００７５】
一可能な実施形態において、テレビ装置は、取得された装置識別子によって、前記外部装置の装置タイプを確定し、ここで、前記装置タイプは、ＵＳＢ３．０標準装置及び外部拡張装置等を含んでもよい。
【００７６】
テレビ装置１３０は、さらに、装置識別子が外部装置が外部拡張装置１２０であることを示すと、Ｉ２Ｓサブインターフェースをオン状態に設定する。
【００７７】
取得された装置識別子が接続された外部装置が外部拡張装置であることを示すと、テレビ装置は、Ｉ２Ｓサブインターフェースを介して信号伝送を行う必要があり、Ｉ２Ｓサブインターフェースをオン状態に設定する。
【００７８】
テレビ装置１３０は、さらに、装置識別子が外部装置が外部拡張装置１２０ではないことを示すと、Ｉ２Ｓサブインターフェースをオフ状態に設定する。
【００７９】
取得された装置識別子が接続された外部装置が外部拡張装置ではないことを示す場合、Ｉ２Ｓサブインターフェースに対応するピンは、信号伝送に使われるわけではなく、Ｉ２Ｓサブインターフェースをオフ状態に設定する（Ｉ２Ｓサブインターフェースに対応するピンはハイインピーダンス状態である）。
【００８０】
選択的に、テレビ装置は、さらに、外部装置のタイプによって異なるピンモードに切り替えることができる。例えば、装置識別子が外部装置が外部拡張装置であることを示す場合、テレビ装置は集積物理インターフェースを第１のピンモードに切り替え、第１のピンモードで、Ｉ２Ｓサブインターフェースを有効にし、装置識別子が外部装置がＵＳＢ３．０標準装置であることを示す場合、テレビ装置は集積物理インターフェースを第２のピンモードに切り替え、第２のピンモードで、Ｉ２ＳサブインターフェースがＵＳＢ３．０標準サブインターフェースに切り替わるだけで、前記集積物理インターフェースは、標準ＵＳＢインターフェースとしてＵＳＢ標準装置とデータ伝送を行うことができる。
【００８１】
選択的に、外部拡張装置１２０は、さらに、集積物理インターフェースの中のＩ２Ｓサブインターフェースを介して、テレビ装置１３０のＡＰにミックスド信号を伝送し、ＡＰは、ミックスド信号を録音として記憶する。
【００８２】
ユーザーが歌を歌った後、再生を行う必要がある場合がある。このため、外部拡張装置は、テレビ装置の増幅回路にミックスド信号を伝送するとともに、Ｉ２Ｓサブインターフェースを介してテレビ装置のＡＰに前記ミックスド信号を伝送することができる。テレビ装置のＡＰが前記ミックスド信号を受信した後、それを録音として記憶し、ユーザーが再生を行うことを指示すると、テレビ装置により前記録音を再生する。なお、外部拡張装置は、ユーザーが伴奏なしの音声を再生できるように、マイクロホン装置が収集したユーザー音声信号をテレビ装置のＡＰに伝送することもでき、本発明の実施例では、これに対して限定しない。
【００８３】
集積物理インターフェースがＵＳＢ３．０インターフェースである場合、テレビ装置と外部拡張装置とは、Ｉ２Ｓサブインターフェースを介して信号伝送が行えるだけではなく、ＵＳＢ３．０インターフェースの中のＵＳＢ２．０サブインターフェースを介しても信号伝送を行うこともでき、また、外部アンプを介してオーディオ再生を行う。
【００８４】
一可能な実施形態において、図２Ｃに示すように、テレビ装置は、さらに、ＵＳＢ２．０サブインターフェースを介するとともに、ＵＡＣ（ＵＳＢ  Ａｕｄｉｏ  Ｃｌａｓｓ，ＵＳＢオーディオ類）を呼び出して、外部拡張装置にＵＳＢ伴奏オーディオ信号を伝送する。
【００８５】
テレビ装置はＵＡＣをサポートし、外部拡張装置の接続が検出されると、ＵＳＢ２．０サブインターフェースを介して外部拡張装置にＵＳＢ伴奏オーディオ信号を伝送することができる。
【００８６】
外部拡張装置は、さらに、ブリッジチップにより、ＵＳＢ伴奏オーディオ信号をＩ２Ｓ伴奏オーディオ信号に変換し、ユーザー音声信号及びＩ２Ｓ伴奏オーディオ信号に対してミキシング処理を行い、ブリッジチップにより、Ｉ２Ｓミックスド信号をＵＳＢミックスド信号に変換し、ＵＳＢ２．０サブインターフェースを介するとともに、ＵＡＣを呼び出して、テレビ装置のＡＰにＵＳＢミックスド信号を伝送し、ＡＰは、ＵＳＢミックスド信号を録音として記憶する。
【００８７】
相応的に、外部拡張装置は、集積物理インターフェースの中のＵＳＢ２．０サブインターフェースを介してテレビ装置が伝送したＵＳＢオーディオ伴奏信号を受信する。受信されたＵＳＢオーディオ伴奏信号に対して、外部拡張装置は、内蔵のブリッジチップにより前記ＵＳＢ伴奏オーディオ信号をＩ２Ｓ伴奏オーディオ信号に変換する。ここで、前記ブリッジチップは、Ｉ２Ｓ信号及びＵＳＢオーディオ信号に対して変換を行う。
【００８８】
外部拡張装置は、マイクロホン装置が伝送したユーザー音声信号及び変換して得られたＩ２Ｓ伴奏オーディオ信号に対してミキシング処理を行って相応のＩ２Ｓミックスド信号を得る。
【００８９】
ミックスド信号の返送を実現するために、外部拡張装置は得られたＩ２Ｓミックスド信号を処理した後、再びブリッジチップを利用して前記Ｉ２Ｓミックスド信号をＵＳＢミックスド信号に変換し、ＵＳＢ２．０サブインターフェースを介してテレビ装置のＡＰに前記ＵＳＢミックスド信号を返送する必要がある。
【００９０】
テレビ装置のＡＰが受信されたＵＳＢミックスド信号に対して処理を行い、増幅回路により内蔵スピーカーに伝送して再生を行うと、大きい遅延（３０ｍｓより大きい）が発生され、これによって、内蔵スピーカーが再生したオーディオに明らかなヒステリシスが存在し、ユーザー体験に影響するので、後の再生で使用するために、テレビ装置のＡＰが返送したＵＳＢミックスド信号を受信した後、前記ＵＳＢミックスド信号を録音として記憶する。
【００９１】
なお、集積物理インターフェースがＵＳＢ２．０インターフェースである場合、外部拡張装置とテレビ装置とは前記方法によって信号伝送を実現してもよい、本実施例では、集積物理インターフェースがＵＳＢ３．０インターフェースであることのみを例にして例示的に説明し、本発明を限定するものではない。
【００９２】
外部拡張装置は、さらに、Ｌｉｎｅ  Ｏｕｔインターフェース又はＳＰＤＩＦを介して外部アンプにＩ２Ｓミックスド信号を伝送し、外部アンプは、受信されたＩ２Ｓミックスド信号を再生する。
【００９３】
ユーザーがミックスしたオーディオを聞くことができるように、外部拡張装置には、Ｌｉｎｅ  Ｏｕｔインターフェース又はＳＰＤＩＦがさらに設けられている。ミキシング処理を完成させた後、外部拡張装置は、Ｌｉｎｅ  Ｏｕｔインターフェース又はＳＰＤＩＦ外部アンプによりＩ２Ｓミックスド信号を伝送することができ、これによって、外部アンプはオーディオ再生を行うことが可能になり、また、同時に、Ｉ２Ｓミックスド信号はＡＰを通過する必要がなくなるので、ユーザーの歌と外部アンプがオーディオを再生する間の遅延が小さくなり、ユーザー体験がよくなる。
【００９４】
図２Ａ及び図２Ｂを併せて参照する、図３は、一例示的な実施例により提供される外部拡張装置３１０及びテレビ装置３２０の構造を示す図である。
【００９５】
ここで、外部拡張装置３１０は、ミキシング処理チップ３１１及びミキシング処理チップ３１１に電気的に接続された集積物理インターフェース３１２（メス）を備え、テレビ装置３２０は、集積物理インターフェース３２１（オス）、増幅回路３２２及びスピーカー３２３を備える。
【００９６】
外部拡張装置３１０は、集積物理インターフェース３１２を介してテレビ装置３２０の集積物理インターフェース３２１に接続され、テレビ装置３２０の電力供給及び信号伝送を受信する。
【００９７】
前記集積物理インターフェースは、ＵＳＢ２．０インターフェース、ＵＳＢ３．０インターフェース、Ｔｙｐｅ  Ｃインターフェース又はＬｉｇｈｔｎｉｎｇインターフェース等であってもよい。
【００９８】
ミキシング処理チップ３１１は、テレビ装置３２０が集積物理インターフェース３２１を介して伝送した伴奏オーディオ信号を取得し、マイクロホン装置が収集したユーザー音声信号及び伴奏オーディオ信号に対して、ミキシング処理を行う。
【００９９】
外部拡張装置３１０は、有線又は無線方式によってマイクロホン装置が収集したユーザー音声信号を受信する。選択的に、外部拡張装置３１０は、オーディオ入力インターフェースをさらに備えてもよく、また、前記オーディオ入力インターフェースを介してマイクロホン装置が伝送したユーザー音声信号を受信する。
【０１００】
ユーザーがカラオケを行うとき、テレビ装置３２０は外部拡張装置３１０との間の集積物理インターフェース３２１を介して外部拡張装置３１０に伴奏オーディオ信号を伝送し、外部拡張装置３１０が前記伴奏オーディオ信号を受信した後、ミキシング処理チップ３１１により伴奏オーディオ信号及びユーザー音声信号に対してミキシング処理を行う。
【０１０１】
ミキシング処理チップ３１１は、さらに、集積物理インターフェースを介してテレビ装置の増幅回路にミックスド信号を伝送する。
【０１０２】
伴奏オーディオ信号及びユーザー音声信号に対してミキシング処理を行った後、ミキシング処理チップ３１１は、集積物理インターフェース３１２を介して処理して得られたミックスド信号をテレビ装置３２０内部の増幅回路３２２に伝送し、テレビ装置３２０は、内蔵スピーカー３２３により増幅回路３２２が受信したミックスド信号に対して再生を行う。
【０１０３】
一可能な実施形態において、外部拡張装置３１０の集積物理インターフェース３１２はＵＳＢ３．０インターフェース（メス）であり、対応的に、テレビ装置３２０の集積物理インターフェース３２１はＵＳＢ３．０インターフェース（オス）であってもよい。
【０１０４】
ここで、ＵＳＢ３．０インターフェースの中のＵＳＢ２．０ピンは、ＵＳＢ２．０サブインターフェース３１２２を構成し、ＵＳＢ３．０インターフェースの中のＵＳＢ３．０ピンは、Ｉ２Ｓサブインターフェース３１２１構成し、外部拡張装置３１０は、Ｉ２Ｓサブインターフェース３１２１を介してテレビ装置３２０が伝送した伴奏オーディオ信号を受信し、また、Ｉ２Ｓサブインターフェース３１２１を介してテレビ装置３２０にミックスド信号を返送する。
【０１０５】
具体的には、図２Ｂに示すように、ＵＳＢ３．０の中のＧＮＤピン、Ｄ−ピン、Ｄ＋ピン及びＶＣＣピンはＵＳＢ２．０サブインターフェースを構成し、ＵＳＢ３．０の中のＳＳ＿ＲＸ＋ピン、ＳＳ＿ＲＸ−ピン、ＳＳ＿ＴＸ＋ピン、ＳＳ＿ＴＸ−ピン及びＧＮＤ＿ＤＲＡＩＮピンはＩ２Ｓサブインターフェースを構成し、また、それぞれがＳＣＫ信号、ＷＳ信号、ＳＤ  ＩＮ、ＳＤ  ＯＵＴ及びＭＣＬＫ信号を伝送する。
【０１０６】
テレビ装置３２０がＵＡＣをサポートする場合、テレビ装置３２０は、Ｉ２Ｓサブインターフェースを介して外部拡張装置３１０と信号伝送が行えるだけではなく、ＵＳＢ２．０サブインターフェースを介しても信号伝送を行うことができる。選択的に、図３に示すように、外部拡張装置３２０は、ブリッジチップ３１３をさらに備える。
【０１０７】
ブリッジチップ３１３の一端はＵＳＢ２．０サブインターフェース３１２２に電気的に接続され、ブリッジチップ３１３の他端はミキシング処理チップ３１１に電気的に接続される。
【０１０８】
ブリッジチップ３１３は、テレビ装置３２０がＵＳＢ２．０サブインターフェース３１２２を介して伝送したＵＳＢ伴奏オーディオ信号をＩ２Ｓ伴奏オーディオ信号に変換し、ミキシング処理チップ３１１にＩ２Ｓ伴奏オーディオ信号を伝送する。
【０１０９】
ブリッジチップ３１１は、ＵＳＢ信号をＩ２Ｓ信号に変換し、又は、Ｉ２Ｓ信号をＵＳＢ信号に変換する。ブリッジチップ３１３は、ＵＳＢ２．０サブインターフェース３１２２を介してテレビ装置３２０が伝送したＵＳＢ伴奏オーディオ信号を受信した後、前記ＵＳＢ伴奏オーディオ信号をＩ２Ｓ伴奏オーディオ信号に変換し、また、変換して得られたＩ２Ｓ伴奏オーディオ信号をミキシング処理チップ３１１に伝送する。
【０１１０】
ミキシング処理チップ３１１は、ユーザー音声信号及びＩ２Ｓ伴奏オーディオ信号に対してミキシング処理を行う。
【０１１１】
ミキシング処理チップ３１１は、ユーザー音声信号及びＩ２Ｓ伴奏オーディオ信号に対してミキシング処理を行って相応のミックスド信号を得る。
【０１１２】
図３に示すように、外部拡張装置３１０がＵＳＢ２．０サブインターフェース３１２２を利用してミックスド信号の返送を行う場合、前記ミックスド信号がテレビ装置３２０のＡＰ３２４を通過する必要があり、ＡＰ３２４により前記ミックスド信号に対して処理を行って、それを増幅回路３２２に送信する。このような方式を採用して返送を行うと、遅延が大きくなり、ユーザー体験に影響する。伝送遅延を低減させるためには、選択的に、図３に示すように、外部拡張装置３１０は、Ｌｉｎｅ  Ｏｕｔインターフェース又はＳＰＤＩＦ３１４をさらに備える。
【０１１３】
ミキシング処理チップ３１１は、処理によりミックスド信号を得た後、Ｌｉｎｅ  Ｏｕｔインターフェース又はＳＰＤＩＦ３１４を介して外部アンプにＩ２Ｓミックスド信号を伝送し、外部アンプは、前記Ｉ２Ｓミックスド信号を受信してから再生を行い、これによって、ユーザーの歌とミックス再生との遅延を著しく減少することができる。
【０１１４】
選択的に、ミキシング処理チップ３１１は、さらに、ブリッジチップ３１３にＩ２Ｓミックスド信号を伝送し、ブリッジチップ３１３は、さらに、Ｉ２Ｓミックスド信号をＵＳＢミックスド信号に変換し、ＵＳＢ２．０サブインターフェース３１２２を介してテレビ装置３２０のＡＰ３２４にＵＳＢミックスド信号を伝送し、ＡＰは、ＵＳＢミックスド信号を録音として記憶する。
【０１１５】
なお、他の可能な実施形態において、ミキシング処理チップ３１１は、さらに、ブリッジチップ３１３のみにマイクロホン装置が収集したユーザー音声信号を返送してもよく、本実施例では、これに対して限定しない。
【０１１６】
ミキシング処理チップ３１１は、Ｌｉｎｅ  Ｏｕｔインターフェース又はＳＰＤＩＦ３１４を介して外部アンプにＩ２Ｓミックスド信号を伝送するとともに、さらに、ブリッジチップ３１３に前記Ｉ２Ｓミックスド信号を伝送してもよい。ブリッジチップ３１３は、Ｉ２Ｓミックスド信号を受信した後、Ｉ２Ｓミックスド信号をＵＳＢミックスド信号に変換し、また、ＵＳＢ２．０サブインターフェース３１２２を介してテレビ装置３２０のＡＰ３２４にＵＳＢミックスド信号を伝送する。ＡＰ３２４は、前記ＵＳＢミックスド信号を受信した後、それを録音として記憶し、ユーザーが再生操作を行うとき、ＡＰ３２４は、記憶した録音を増幅回路３２２に送信することができ、また、内蔵スピーカー３２３により再生を行う。
【０１１７】
なお、本実施例では、ブリッジチップはミキシング処理チップと別に設けられたチップであってもよく、又は、ブリッジチップはミキシング処理チップの内部に内蔵されたチップであってもよく、本発明の実施例では、これに対して限定しない。
【０１１８】
図４は、一例示的な実施例により提供されるオーディオ再生方法を示すフローチャートである。本実施例以では、前記オーディオ再生方法を図１の外部拡張装置１２０に適用したことを例にして説明する。前記オーディオ再生方法は下記のステップを含む。
【０１１９】
ステップ４０１：マイクロホン装置が収集したユーザー音声信号を取得する。
【０１２０】
ステップ４０２：テレビ装置との間の集積物理インターフェースを介して、テレビ装置が伝送した伴奏オーディオ信号を受信する。
【０１２１】
ステップ４０３：ユーザー音声信号及び伴奏オーディオ信号に対してミキシング処理を行う。
【０１２２】
ステップ４０４：集積物理インターフェースを介して、テレビ装置の増幅回路にミックスド信号を伝送し、テレビ装置は内蔵スピーカーにより増幅回路が受信したミックスド信号を再生する。
【０１２３】
上述のように、本実施例に提供されたオーディオ再生方法は、外部拡張装置により、マイクロホン装置が収集したユーザー音声信号及びテレビ装置が伝送した伴奏オーディオ信号に対してミキシング処理を行ってミックスド信号を取得し、さらに、テレビ装置との間の集積物理インターフェースを介してミックスド信号をテレビ装置の増幅回路に返送し、テレビ装置の内蔵スピーカーによりミックスド信号を再生することによって、テレビにカラオケ処理チップを内蔵することによってコストが高くなり、且つアップグレードに不利になる問題が解決され、カラオケ機能を外部拡張装置に集積することを達成し、前記外部拡張装置を利用してミックスド信号を生成してテレビ装置に返送し、最終的にテレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になる。
【０１２４】
図５は、他の例示的な実施例により提供されるオーディオ再生方法を示すフローチャートである。本実施例では、前記オーディオ再生方法を図１のテレビ装置１３０に適用したことを例にして説明する。前記オーディオ再生方法は下記のステップを含む。
【０１２５】
ステップ５０１：外部拡張装置との間の集積物理インターフェースを介して、外部拡張装置に伴奏オーディオ信号を伝送する。
【０１２６】
ステップ５０２：集積物理インターフェースを介して、外部拡張装置がテレビ装置の増幅回路に伝送したミックスド信号を受信し、ミックスド信号は、外部拡張装置がマイクロホン装置が収集したユーザー音声信号及び伴奏オーディオ信号に対して、ミキシング処理を行って生成したものである。
【０１２７】
ステップ５０３：内蔵スピーカーにより、増幅回路が受信したミックスド信号を再生する。
【０１２８】
上述のように、本実施例に提供されたオーディオ再生方法は、外部拡張装置により、マイクロホン装置が収集したユーザー音声信号及びテレビ装置が伝送した伴奏オーディオ信号に対してミキシング処理を行ってミックスド信号を取得し、さらに、テレビ装置との間の集積物理インターフェースを介してミックスド信号をテレビ装置の増幅回路に返送し、テレビ装置の内蔵スピーカーによりミックスド信号を再生することによって、テレビにカラオケ処理チップを内蔵することによってコストが高くなり、且つアップグレードに不利になる問題が解決され、カラオケ機能を外部拡張装置に集積することを達成し、前記外部拡張装置を利用してミックスド信号を生成してテレビ装置に返送し、最終的にテレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になる。
【０１２９】
図６Ａは、さらに他の例示的な実施例により提供されるオーディオ再生方法を示すフローチャートである。本実施例では、前記オーディオ再生方法を図１に示すオーディオ再生システムに適用したことを例にして説明する。前記オーディオ再生方法は下記のステップを含む。
【０１３０】
ステップ６０１：外部拡張装置はマイクロホン装置が収集したユーザー音声信号を取得する。
【０１３１】
前記マイクロホン装置が有線マイクなどの有線装置である場合、外部拡張装置は、マイクロホン装置との間のケーブルによりマイクロホン装置が収集したユーザー音声信号を取得し、前記マイクロホン装置が無線マイクの無線装置である場合、外部拡張装置は、無線によって前記ユーザー音声信号を取得する。本実施例では、外部拡張装置がユーザー音声信号を取得する方式に対して限定するものではない。
【０１３２】
ステップ６０２：テレビ装置は、外部拡張装置との間の集積物理インターフェースを介して、外部拡張装置に伴奏オーディオ信号を伝送する。
【０１３３】
一可能な実施形態において、前記集積物理インターフェースは、Ｉ２Ｓ信号を伝送するためのＩ２Ｓサブインターフェースを備え、テレビ装置は集積物理インターフェースの中のＩ２Ｓサブインターフェースを介して、外部拡張装置に伴奏オーディオ信号を伝送する。
【０１３４】
ステップ６０３：外部拡張装置は、集積物理インターフェースを介してテレビ装置が伝送した伴奏オーディオ信号を受信する。
【０１３５】
相応的に、外部拡張装置は、集積物理インターフェースの中のＩ２Ｓサブインターフェースを介して、前記伴奏オーディオ信号を受信する。
【０１３６】
ステップ６０４：外部拡張装置は、ユーザー音声信号及び伴奏オーディオ信号に対してミキシング処理を行う。
【０１３７】
外部拡張装置にはミキシング処理チップが内蔵されたので、ユーザー音声信号及び伴奏オーディオ信号を受信したとき、外部拡張装置を介して両方に対してミキシング処理を行って、最終的に、相応のミックスド信号を得る。
【０１３８】
ステップ６０５：外部拡張装置は、集積物理インターフェースを介してテレビ装置の増幅回路にミックスド信号を伝送する。
【０１３９】
テレビ装置が伴奏オーディオ信号を伝送することと同様に、集積物理インターフェースがＩ２Ｓサブインターフェースを備える場合、外部拡張装置は、前記Ｉ２Ｓサブインターフェースを介して直接にテレビ装置の増幅回路にミックスド信号を伝送する。
【０１４０】
ステップ６０６：テレビ装置は、集積物理インターフェースを介して、外部拡張装置がテレビ装置の増幅回路に伝送したミックスド信号を受信する。
【０１４１】
相応的に、テレビ装置は、Ｉ２Ｓサブインターフェースを介して、外部拡張装置が増幅回路に伝送したミックスド信号を受信する。
【０１４２】
ステップ６０７：テレビ装置は、内蔵スピーカーにより、増幅回路が受信したミックスド信号を再生する。
【０１４３】
前記ミックスド信号は、テレビ装置のＡＰを通過しないで直接に増幅回路に伝送されるので、その伝送遅延は低い。即ち、ユーザーの歌とミックス再生との時間間隔が短く（３０ｍｓより低い）、これによって、よいユーザー体験を達成することができる。
【０１４４】
上述のように、本実施例に提供されたオーディオ再生方法は、外部拡張装置により、マイクロホン装置が収集したユーザー音声信号及びテレビ装置が伝送した伴奏オーディオ信号に対してミキシング処理を行ってミックスド信号を取得し、さらに、テレビ装置との間の集積物理インターフェースを介してミックスド信号をテレビ装置の増幅回路に返送し、テレビ装置の内蔵スピーカーによりミックスド信号を再生することによって、テレビにカラオケ処理チップを内蔵することによってコストが高くなり、且つアップグレードに不利になる問題が解決され、カラオケ機能を外部拡張装置に集積することができ、前記外部拡張装置を利用してミックスド信号を生成してテレビ装置に返送し、最終的にテレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になる。
【０１４５】
本実施例では、外部拡張装置は、テレビ装置との間のＩ２Ｓサブインターフェースを介して、ミキシング処理したミックスド信号を直接にテレビ装置の増幅回路に伝送し、テレビ装置の内蔵スピーカーにより再生することによって、テレビ装置のＡＰによりミックスド信号の返送を避けて、返送遅延を低下させ、ユーザー体験を向上させた。
【０１４６】
テレビ装置の集積物理インターフェース（オス）は、前記外部拡張装置だけではなく、他の外部装置にも接続されることができる。テレビ装置が外部拡張装置に接続された場合、テレビ装置はＩ２Ｓサブインターフェースを介して外部拡張装置と信号伝送を行う必要があり、テレビ装置が他の外部装置（例えば、ＵＳＢ３．０標準装置）に接続された場合、前記Ｉ２Ｓサブインターフェースに対応するピンは、Ｉ２Ｓ信号を伝送するために使われるわけではない場合もある。
【０１４７】
したがって、信号伝送エラー及び集積物理インターフェースの破損を避けるために、一可能な実施形態において、集積物理インターフェースの中のＩ２Ｓサブインターフェースはオン状態及びオフ状態を有し、テレビ装置が外部拡張装置に接続された場合、前記Ｉ２Ｓサブインターフェースはオン状態にあり、前記Ｉ２ＳサブインターフェースはＩ２Ｓ信号を伝送することができ、テレビ装置が外部拡張装置に接続された場合、前記Ｉ２Ｓサブインターフェースはオフ状態にあり、Ｉ２ＳサブインターフェースはＩ２Ｓ信号の伝送を禁止する。図６Ｂに示すように、上記ステップ６０２の前に、下記のステップをさらに含んでもよい。
【０１４８】
ステップ６０８：テレビ装置は、集積物理インターフェースを介して外部装置に接続されたことが検出された場合、外部装置の装置識別子を取得する。
【０１４９】
異なるタイプの外部装置は異なる装置識別子を有し、テレビ装置は、外部装置の装置識別子によって、前記外部装置がカラオケ機能を有する外部拡張装置であるか否かを確定することができる。
【０１５０】
一可能な実施形態において、テレビ装置が装置識別子を取得された後、前記装置識別子に予め設定したキーワード（例えば、Ｃａｒａ  ＯＫ）を含んでいるかどうかを検出し、前記装置識別子の中に予め設定したキーワードが含んでいると検出された場合、前記外部装置を外部拡張装置であると確定し、前記装置識別子の中に予め設定したキーワードが含んでいないと検出された場合、前記外部装置が外部拡張装置ではないと確定する。
【０１５１】
ステップ６０９：装置識別子が外部装置が外部拡張装置であることを示す場合、テレビ装置はＩ２Ｓサブインターフェースをオン状態に設定する。
【０１５２】
前記外部装置が外部拡張装置ではないと検出された場合、テレビ装置は集積物理インターフェースの中のＩ２Ｓサブインターフェースをオン状態に設定し、Ｉ２Ｓサブインターフェースを介して伴奏オーディオ信号伝送を行い、ステップ６０２を実行する。
【０１５３】
ステップ６１０：装置識別子が外部装置が外部拡張装置ではないことを示す場合、テレビ装置はＩ２Ｓサブインターフェースをオフ状態に設定する。
【０１５４】
前記外部装置が外部拡張装置ではないと検出された場合、テレビ装置は、Ｉ２Ｓサブインターフェースのピンをハイインピーダンス状態に設定することができ、これによって、前記Ｉ２Ｓサブインターフェースがオフ状態になり、Ｉ２Ｓ信号伝送を停止する。
【０１５５】
さらに、テレビ装置は、さらに、前記外部装置の装置タイプによって、Ｉ２Ｓサブインターフェースに対して切り替えを行うことができる。例えば、前記外部装置がＵＳＢ３．０標準装置である場合、テレビ装置は、Ｉ２ＳサブインターフェースをＵＳＢ３．０標準サブインターフェースに切り替えて、ＵＳＢ３．０標準装置とテレビ装置とのデータ伝送を保証することができ、本発明では、これに対して限定しない。
【０１５６】
本実施例では、テレビ装置は、外部装置の装置識別子によって前記外部装置が外部拡張装置であるか否かを確定し、前記外部装置が外部拡張装置ではない場合、Ｉ２Ｓをオフ状態に設定して、信号伝送エラー及び集積物理インターフェース破損を避ける。
【０１５７】
選択的に、図６Ａに加え、図６Ｃに示すように、上記ステップ６０４の後は、下記のステップをさらに含んでもよい。
【０１５８】
ステップ６１１：外部拡張装置は、集積物理インターフェースの中のＩ２Ｓサブインターフェースを介して、テレビ装置のＡＰにミックスド信号を伝送する。
【０１５９】
外部拡張装置がテレビ装置の増幅回路にミックスド信号を伝送するとき、Ｉ２Ｓサブインターフェースを介してテレビ装置のＡＰにミックスド信号を伝送してもよい。なお、他の可能な実施形態において、外部拡張装置は、ユーザー音声信号のみをテレビ装置のＡＰに返送してもよく、本実施例では、これに対して限定しない。
【０１６０】
ステップ６１２：テレビ装置は、ＡＰにより、外部拡張装置が伝送したミックスド信号を受信する。
【０１６１】
ステップ６１３：テレビ装置は、ミックスド信号を録音として記憶する。
【０１６２】
前記ミックスド信号を受信した後、テレビ装置は、再生のために、前記ミックスド信号を録音として記憶し、また、テレビ装置のＡＰは、さらに、前記録音のイントネーション及びリズムによって採点を行い、採点に対して表示することができ、本発明では、これに対して限定しない。
【０１６３】
一可能な実施形態において、テレビ装置は、さらに、集積物理インターフェースの中のＵＳＢ２．０サブインターフェースを介して、外部拡張装置に伴奏オーディオ信号を伝送することができ、外部拡張装置も外部アンプによって処理したミックスド信号を再生することができる。図６Ｄに示すように、テレビ装置と外部拡張装置との間の集積物理インターフェースがＵＳＢサブインターフェースを備える場合、上記ステップ６０１の後は、下記のステップを含んでもよい。
【０１６４】
ステップ６１４：テレビ装置は、ＵＳＢ２．０サブインターフェースを介するとともに、ＵＡＣを呼び出してＵＳＢ伴奏オーディオ信号を伝送する。
【０１６５】
テレビ装置がＵＡＣをサポートする場合、テレビ装置は、ＵＳＢ２．０サブインターフェースを介して外部拡張装置にＵＳＢオーディオ信号伝送することができる。
【０１６６】
ステップ６１５：外部拡張装置は、ＵＳＢ２．０サブインターフェースを介して、ＵＳＢ伴奏オーディオ信号を受信する。
【０１６７】
相応的に、外部拡張装置は、前記ＵＳＢ２．０サブインターフェースを介してテレビ装置が伝送したＵＳＢ伴奏オーディオ信号を受信する。
【０１６８】
ステップ６１６：外部拡張装置は、ブリッジチップにより、ＵＳＢ伴奏オーディオ信号をＩ２Ｓ伴奏オーディオ信号に変換する。
【０１６９】
図３に示すように、外部拡張装置３１０のＵＳＢ２．０サブインターフェース３１２２はブリッジチップ３１３に電気的に接続され、ＵＳＢ伴奏オーディオ信号を受信したとき、外部拡張装置は、前記ブリッジチップ３１３によりＵＳＢ伴奏オーディオ信号をＩ２Ｓ伴奏オーディオ信号に変換する。本実施例では、ブリッジチップのタイプに対して限定するものではない。
【０１７０】
ステップ６１７：外部拡張装置は、ユーザー音声信号及びＩ２Ｓ伴奏オーディオ信号に対してミキシング処理を行ってＩ２Ｓミックスド信号を生成する。
【０１７１】
上記ステップ６０４と同様に、外部拡張装置は、変換して得られたＩ２Ｓ伴奏オーディオ信号及びユーザー音声信号に対してミキシング処理を行って相応のＩ２Ｓミックスド信号を生成する。
【０１７２】
ステップ６１８：外部拡張装置は、Ｌｉｎｅ  Ｏｕｔインターフェース又はＳＰＤＩＦを介して外部アンプにＩ２Ｓミックスド信号を伝送する。
【０１７３】
ユーザーの歌とミックス再生との間の遅延を低下させるために、図３に示すように、外部拡張装置３１０は、外部アンプがミックスオーディオの再生を行えるように、Ｌｉｎｅ  Ｏｕｔ／ＳＰＤＩＦ３１４を介して外部アンプにＩ２Ｓミックスド信号を伝送する。
【０１７４】
ステップ６１９：外部アンプは、前記Ｉ２Ｓミックスド信号を再生する。
【０１７５】
本実施例では、テレビ装置は、ＵＳＢ２．０サブインターフェースを介して外部拡張装置にＵＳＢ伴奏オーディオ信号を伝送し、外部拡張装置は、前記ＵＳＢ伴奏オーディオ信号及びユーザー音声信号によりＩ２Ｓミックスド信号を生成し、また、外部アンプにより再生することによって、外部拡張装置の適応範囲を拡大させ、ユーザーの歌とミックス再生との遅延を減少し、ユーザー体験を向上させた。
【０１７６】
選択的に、図６Ｄに加え、図６Ｅに示すように、上記ステップ６１７の後は、下記のステップをさらに含んでもよい。
【０１７７】
ステップ６１８：外部拡張装置は、ブリッジチップにより、Ｉ２Ｓミックスド信号をＵＳＢミックスド信号に変換する。
【０１７８】
図３に示すように、外部拡張装置３２０は、Ｌｉｎｅ  Ｏｕｔ／ＳＰＤＩＦ３１４を介して外部アンプにＩ２Ｓミックスド信号を伝送するとともに、ブリッジチップ３１３によりＩ２Ｓミックスド信号をＵＳＢミックスド信号に変換する。
【０１７９】
なお、外部拡張装置は、さらに、ユーザー音声信号のみをテレビ装置のＡＰに返送してもよく、本実施例では、これに対して限定しない。
【０１８０】
ステップ６１９：外部拡張装置は、ＵＳＢ２．０サブインターフェースを介するとともに、ＵＡＣを呼び出してテレビ装置のＡＰにＵＳＢミックスド信号を伝送する。
【０１８１】
テレビ装置がＵＳＢ伴奏オーディオ信号を伝送することと同様に、外部拡張装置はＵＳＢ２．０サブインターフェースを介するとともに、ＵＡＣを呼び出してテレビ装置のＡＰに変換して得られたＵＳＢミックスド信号を伝送する。
【０１８２】
ステップ６２０：テレビ装置は、ＵＳＢミックスド信号を録音として記憶する。
【０１８３】
テレビ装置は、再生のために、受信されたＵＳＢミックスド信号を録音として記憶し、また、テレビ装置のＡＰは、さらに、前記録音のイントネーション及びリズムによって採点を行い、採点に対して表示することができ、本発明では、これに対して限定しない。
【０１８４】
下記は本発明の装置の実施例であって、本発明の方法の実施例を実行するために用いられる。本発明の装置の実施例で開示されていない詳細に対しては、本発明の方法の実施例を参照ください。
【０１８５】
図７は、一例示的な実施例により提供されるオーディオ処理装置の構造を示す図である。前記オーディオ処理装置は、専用ハードウェア回路、又は、ハードウェアとソフトウェアの組み合わせを介して、図１の外部拡張装置１２０の全部又は一部として実現されることができ、前記オーディオ処理装置は、第１の取得モジュール７０１と、第１の受信モジュール７０２と、第１の処理モジュール７０３と、第１の伝送モジュール７０４と、を備え、
第１の取得モジュール７０１は、マイクロホン装置が収集したユーザー音声信号を取得し、
第１の受信モジュール７０２は、テレビ装置との間の集積物理インターフェースを介して、テレビ装置が伝送した伴奏オーディオ信号を受信し、
第１の処理モジュール７０３は、ユーザー音声信号及び伴奏オーディオ信号に対してミキシング処理を行い、
第１の伝送モジュール７０４は、集積物理インターフェースを介して、テレビ装置の増幅回路にミックスド信号を伝送し、テレビ装置は内蔵スピーカーにより増幅回路が受信したミックスド信号を再生する。
【０１８６】
上述のように、本実施例に提供されたオーディオ処理装置は、外部拡張装置によりマイクロホン装置が収集したユーザー音声信号及びテレビ装置が伝送した伴奏オーディオ信号に対してミキシング処理を行ってミックスド信号を取得し、テレビ装置との間の集積物理インターフェースを介してミックスド信号をテレビ装置の増幅回路に返送し、テレビ装置の内蔵スピーカーによりミックスド信号を再生することによって、テレビにカラオケ処理チップを内蔵することによってコストが高くなり、且つアップグレードに不利になる問題が解決され、カラオケ機能を外部拡張装置に集積することを達成し、前記外部拡張装置を利用してミックスド信号を生成してテレビ装置に返送し、最終的にテレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になる。
【０１８７】
図８は、他の例示的な実施例により提供されるオーディオ処理装置の構造を示す図である。前記オーディオ処理装置は、専用ハードウェア回路、又は、ハードウェアとソフトウェアの組み合わせにより、図１の外部拡張装置１２０の全部又は一部として実現されることができ、前記オーディオ処理装置は、第１の取得モジュール８０１と、第１の受信モジュール８０２と、第１の処理モジュール８０３と、第１の伝送モジュール８０４と、を備え、
第１の取得モジュール８０１は、マイクロホン装置が収集したユーザー音声信号を取得し、
第１の受信モジュール８０２は、テレビ装置との間の集積物理インターフェースを介して、テレビ装置が伝送した伴奏オーディオ信号を受信し、
第１の処理モジュール８０３は、ユーザー音声信号及び伴奏オーディオ信号に対してミキシング処理を行い、
第１の伝送モジュール８０４は、集積物理インターフェースを介して、テレビ装置の増幅回路にミックスド信号を伝送し、テレビ装置は内蔵スピーカーにより増幅回路が受信したミックスド信号を再生する。
【０１８８】
選択的に、集積物理インターフェースは、Ｉ２Ｓサブインターフェースを備え、Ｉ２ＳサブインターフェースはＩ２Ｓ信号を伝送し、
第１の受信モジュール８０２は、集積物理インターフェースを介して、テレビ装置の増幅回路にミックスド信号を伝送し、テレビ装置は内蔵スピーカーにより増幅回路が受信したミックスド信号を再生し、
第１の伝送モジュール８０４は、Ｉ２Ｓサブインターフェースを介して、テレビ装置の増幅回路にミックスド信号を伝送する。
【０１８９】
選択的に、集積物理インターフェースはＵＳＢ３．０インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
ＵＳＢ３．０ピンは、第１のピン、第２のピン、第３のピン、第４のピン及び第５のピンを備え、
第１のピンは、ＳＣＫ信号を伝送し、
第２のピンは、ＷＳ信号を伝送し、
第３のピンは、ＳＤ  ＩＮを伝送し、
第４のピンは、ＳＤ  ＯＵＴを伝送し、
第５のピンは、ＭＣＬＫ信号、ＳＤ  ＩＮ又はＳＤ  ＯＵＴのいずれか１つの信号を伝送する。
【０１９０】
選択的に、前記装置は、第２の伝送モジュール８０５をさらに備え、
第２の伝送モジュール８０５は、集積物理インターフェースの中のＩ２Ｓサブインターフェースを介して、テレビ装置のＡＰにミックスド信号を伝送し、ＡＰは、ミックスド信号を録音として記憶する。
【０１９１】
選択的に、テレビ装置は、ＵＳＢ２．０サブインターフェースを介するとともに、ＵＡＣを呼び出して、ＵＳＢ伴奏オーディオ信号を伝送し、
前記装置は、第２の受信モジュール８０６と、第１の変換モジュール８０７と、第２の処理モジュール８０８と、第２の変換モジュール８０９と、第３の伝送モジュール８１０と、をさらに備え、
第２の受信モジュール８０６は、ＵＳＢ２．０サブインターフェースを介して、ＵＳＢ伴奏オーディオ信号を受信し、
第１の変換モジュール８０７は、ブリッジチップにより、ＵＳＢ伴奏オーディオ信号をＩ２Ｓ伴奏オーディオ信号に変換し、
第２の処理モジュール８０８は、ユーザー音声信号及びＩ２Ｓ伴奏オーディオ信号に対してミキシング処理を行ってＩ２Ｓミックスド信号を生成し、
第２の変換モジュール８０９は、ブリッジチップにより、Ｉ２Ｓミックスド信号をＵＳＢミックスド信号に変換し、
第３の伝送モジュール８１０は、ＵＳＢ２．０サブインターフェースを介して、また、ＵＡＣを呼び出して、テレビ装置のＡＰにＵＳＢミックスド信号を伝送し、ＡＰは、ＵＳＢミックスド信号を録音として記憶する。
【０１９２】
選択的に、外部拡張装置は、Ｌｉｎｅ  Ｏｕｔインターフェース又はＳＰＤＩＦを介して、外部アンプに接続され、
前記装置は、第４の伝送モジュール８１１をさらに備え、
第４の伝送モジュール８１１は、Ｌｉｎｅ  Ｏｕｔインターフェース又はＳＰＤＩＦを介して、外部アンプにＩ２Ｓミックスド信号を伝送し、外部アンプは、受信されたＩ２Ｓミックスド信号を再生する。
【０１９３】
上述のように、本実施例に提供されたオーディオ処理装置は、外部拡張装置によりマイクロホン装置が収集したユーザー音声信号及びテレビ装置が伝送した伴奏オーディオ信号に対してミキシング処理を行ってミックスド信号を取得し、テレビ装置との間の集積物理インターフェースを介してミックスド信号をテレビ装置の増幅回路に返送し、テレビ装置の内蔵スピーカーによりミックスド信号を再生することによって、テレビにカラオケ処理チップを内蔵することによってコストが高くなり、且つアップグレードに不利になる問題が解決され、カラオケ機能を外部拡張装置に集積することを達成し、前記外部拡張装置を利用してミックスド信号を生成してテレビ装置に返送し、最終的にテレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になる。
【０１９４】
本実施例では、外部拡張装置は、テレビ装置との間のＩ２Ｓサブインターフェースを介して、ミキシング処理したミックスド信号を直接にテレビ装置の増幅回路に伝送し、テレビ装置の内蔵スピーカーにより再生することで、テレビ装置のＡＰを介してミックスド信号を返送することを避けて、返送遅延を低下させ、ユーザー体験を向上させた。
【０１９５】
本実施例では、テレビ装置は、外部装置の装置識別子によって前記外部装置が外部拡張装置であるか否かを確定し、前記外部装置が外部拡張装置ではない場合、Ｉ２Ｓをオフ状態に設定して、信号伝送エラー及び集積物理インターフェース破損を避けた。
【０１９６】
本実施例では、テレビ装置は、ＵＳＢ２．０サブインターフェースを介して外部拡張装置にＵＳＢ伴奏オーディオ信号を伝送し、外部拡張装置は、前記ＵＳＢ伴奏オーディオ信号及びユーザー音声信号によりＩ２Ｓミックスド信号を生成し、また、外部アンプにより再生することによって、外部拡張装置の適応範囲を拡大させ、ユーザーの歌とミックス再生との遅延を減少し、ユーザー体験を向上させた。
【０１９７】
図９は、さらに他の例示的な実施例により提供されるオーディオ再生装置の構造を示す図である。前記オーディオ再生装置は、専用ハードウェア回路、又は、ハードウェアとソフトウェアの組み合わせにより、図１のテレビ装置１３０の全部又は一部として実現されることができ、前記オーディオ再生装置は、第５の伝送モジュール９０１と、第３の受信モジュール９０２と、再生モジュール９０３と、を備え、
第５の伝送モジュール９０１は、外部拡張装置との間の集積物理インターフェースを介して、外部拡張装置に伴奏オーディオ信号を伝送し、
第３の受信モジュール９０２は、集積物理インターフェースを介して、外部拡張装置がテレビ装置の増幅回路に伝送したミックスド信号を受信し、ミックスド信号は、外部拡張装置がマイクロホン装置が収集したユーザー音声信号及び伴奏オーディオ信号に対して、ミキシング処理を行って生成したものであり、
再生モジュール９０３は、内蔵スピーカーにより、増幅回路が受信したミックスド信号を再生する。
【０１９８】
上述のように、本実施例に提供されたオーディオ再生装置は、外部拡張装置によりマイクロホン装置が収集したユーザー音声信号及びテレビ装置が伝送した伴奏オーディオ信号に対してミキシング処理を行ってミックスド信号を取得し、テレビ装置との間の集積物理インターフェースを介してミックスド信号をテレビ装置の増幅回路に返送し、テレビ装置の内蔵スピーカーによりミックスド信号を再生することによって、テレビにカラオケ処理チップを内蔵することによってコストが高くなり、且つアップグレードに不利になる問題が解決され、カラオケ機能を外部拡張装置に集積することを達成し、前記外部拡張装置を利用してミックスド信号を生成してテレビ装置に返送し、最終的にテレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になる。
【０１９９】
図１０は、さらに他の例示的な実施例により提供されるオーディオ再生装置の構造を示す図である。前記オーディオ再生装置は、専用ハードウェア回路、又は、ハードウェアとソフトウェアの組み合わせにより、図１のテレビ装置１３０の全部又は一部として実現されることができ、前記オーディオ再生装置は、第５の伝送モジュール１００１と、第３の受信モジュール１００２と、再生モジュール１００３と、を備え、
第５の伝送モジュール１００１は、外部拡張装置との間の集積物理インターフェースを介して、外部拡張装置に伴奏オーディオ信号を伝送し、
第３の受信モジュール１００２は、集積物理インターフェースを介して、外部拡張装置がテレビ装置の増幅回路に伝送したミックスド信号を受信し、ミックスド信号は、外部拡張装置がマイクロホン装置が収集したユーザー音声信号及び伴奏オーディオ信号に対して、ミキシング処理を行って生成したものであって、
再生モジュール１００３は、内蔵スピーカーにより、増幅回路が受信したミックスド信号を再生する。
【０２００】
選択的に、集積物理インターフェースは、Ｉ２Ｓサブインターフェースを備え、Ｉ２ＳサブインターフェースはＩ２Ｓ信号を伝送し、
第５の伝送モジュール１００１は、Ｉ２Ｓサブインターフェースを介して、外部拡張装置に伴奏オーディオ信号を伝送する。
【０２０１】
選択的に、Ｉ２Ｓサブインターフェースは、オン状態及びオフ状態を有し、オフ状態にある場合、Ｉ２ＳサブインターフェースはＩ２Ｓ信号の伝送を禁止し、
前記装置は、検出モジュール１００４と、第１の設定モジュール１００５と、第２の設定モジュール１００６と、をさらに備え、
検出モジュール１００４は、集積物理インターフェースを介して外部装置に接続されたことが検出された場合、外部装置の装置識別子を取得し、
第１の設定モジュール１００５は、装置識別子が外部装置が外部拡張装置であることを示すと、Ｉ２Ｓサブインターフェースをオン状態に設定し、
第２の設定モジュール１００６は、装置識別子が外部装置が外部拡張装置ではないことを示すと、Ｉ２Ｓサブインターフェースをオフ状態に設定する。
【０２０２】
選択的に、前記装置は、第４の受信モジュール１００７と、第１の記憶モジュール１００８と、をさらに備え、
第４の受信モジュール１００７は、ＡＰにより、外部拡張装置が伝送したミックスド信号を受信し、
第１の記憶モジュール１００８は、ミックスド信号を録音として記憶する。
【０２０３】
選択的に、集積物理インターフェースはＵＳＢ３．０インターフェースであって、ＵＳＢ３．０インターフェースの中のＵＳＢ２．０ピンはＵＳＢ２．０サブインターフェースを構成し、ＵＳＢ３．０インターフェースの中のＵＳＢ３．０ピンはＩ２Ｓサブインターフェースを構成し、
前記装置は、第６の伝送モジュール１００９と、第５の受信モジュール１０１０と、第２の記憶モジュール１０１１と、をさらに備え、
第６の伝送モジュール１００９は、ＵＳＢ２．０サブインターフェースを介するとともに、ＵＡＣを呼び出して、前記外部拡張装置にＵＳＢ伴奏オーディオ信号を伝送し、
第５の受信モジュール１０１０は、ＵＳＢ２．０サブインターフェースを介して、外部拡張装置が伝送したＵＳＢミックスド信号を受信し、ＵＳＢミックスド信号は、外部拡張装置がブリッジチップによりＩ２Ｓミックスド信号を変換して得られたものであり、Ｉ２Ｓミックスド信号は、外部拡張装置がユーザー音声信号及びＩ２Ｓ伴奏オーディオ信号に対してミキシング処理を行って得たものであって、Ｉ２Ｓ伴奏オーディオ信号は、外部拡張装置がブリッジチップによりＵＳＢ伴奏オーディオ信号を変換して得られたものであり、
第２の記憶モジュール１０１１は、ＵＳＢミックスド信号を録音として記憶する。
【０２０４】
上述のように、本実施例に提供されたオーディオ再生装置は、外部拡張装置によりマイクロホン装置が収集したユーザー音声信号及びテレビ装置が伝送した伴奏オーディオ信号に対してミキシング処理を行ってミックスド信号を取得し、テレビ装置との間の集積物理インターフェースを介してミックスド信号をテレビ装置の増幅回路に返送し、テレビ装置の内蔵スピーカーによりミックスド信号を再生することによって、テレビにカラオケ処理チップを内蔵することによってコストが高くなり、且つアップグレードに不利になる問題が解決され、カラオケ機能を外部拡張装置に集積することを達成し、前記外部拡張装置を利用してミックスド信号を生成してテレビ装置に返送し、最終テレビ装置内蔵スピーカーによりミックスド信号を再生することによって、テレビ装置の中にカラオケ処理チップを設ける必要がなくなり、製造コストを低下され、ユーザーがカラオケ機能をアップグレードすることが便利になった。
【０２０５】
本実施例では、外部拡張装置は、テレビ装置との間のＩ２Ｓサブインターフェースを介して、ミキシング処理したミックスド信号を直接にテレビ装置の増幅回路に伝送し、テレビ装置の内蔵スピーカーにより再生することで、テレビ装置のＡＰを介してミックスド信号を返送することを避けて、返送遅延を低下させ、ユーザー体験を向上させた。
【０２０６】
本実施例では、テレビ装置は、外部装置の装置識別子によって前記外部装置が外部拡張装置であるか否かを確定し、前記外部装置が外部拡張装置ではない場合、Ｉ２Ｓをオフ状態に設定して、信号伝送エラー及び集積物理インターフェース破損を避けた。
【０２０７】
本実施例では、テレビ装置は、ＵＳＢ２．０サブインターフェースを介して外部拡張装置にＵＳＢ伴奏オーディオ信号を伝送し、外部拡張装置は、前記ＵＳＢ伴奏オーディオ信号及びユーザー音声信号によりＩ２Ｓミックスド信号を生成し、また、外部アンプにより再生することによって、外部拡張装置の適応範囲を拡大させ、ユーザーの歌とミックス再生との遅延を減少し、ユーザー体験を向上させた。
【０２０８】
上記実施例の装置において、各モジュールが操作を行う具体的な方式は、すでに関連方法の実施例で詳しく説明しており、ここで詳細な説明を省略する。
【０２０９】
図１１は、一例示的な実施例に係るテレビ装置を示すブロックチャートである。例えば、テレビ装置１１００は、スマートテレビであってもよい。
【０２１０】
図１１を参照すると、テレビ装置１１００は、処理ユニット１１０２、メモリ１１０４、電源ユニット１１０６、マルチメディアユニット１１０８、オーディオユニット１１１０及び入力／出力（Ｉ／Ｏ）インターフェース１１１２の中の少なくとも１つを含んでもよい。
【０２１１】
処理ユニット１１０２は、一般的には、装置１１００の全体の操作を制御する。処理ユニット１１０２は、上述した方法におけるステップの一部又は全部を実現できるように、命令を実行する少なくとも１つのプロセッサー１１１８を備えてもよい。また、処理ユニット１１０２は、他のユニットとのインタラクションを便利にさせるように、少なくとも１つのモジュールを備えてもよい。例えば、処理ユニット１１０２は、マルチメディアユニット１１０８とのインタラクションを便利にさせるように、マルチメディアモジュールを備えてもよい。本実施例では、前記処理ユニット１１０２は、アプリケーションプロセッサーＡＰである。
【０２１２】
メモリ１１０４は、装置１１００での操作をサポートするように、各種のデータを記憶するように配置される。これらのデータは、例えば、装置１１００で何れのアプリケーション又は方法を操作するための命令を含む。メモリ１１０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０２１３】
電源ユニット１１０６は、装置１１００の各種ユニットに電力を供給するためのものであり、電源管理システム、１つ又は複数の電源、及び装置１１００のために電力を生成、管理及び分配することに関連する他のユニットを備えてもよい。
【０２１４】
マルチメディアユニット１１０８は、装置１１００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続とき間や圧力も感知できる。一実施例では、マルチメディアユニット１１０８は、フロントカメラ及び／又はバックカメラを有してもよい。装置１１００が、例えば、撮影モードやビデオモードのような操作モードにあるとき、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０２１５】
オーディオユニット１１１０は、オーディオ信号を出力及び／又は入力するように配置される。本実施例では、前記オーディオユニット１１１０は、１つの内蔵スピーカーを備え、ミックスド信号を出力する。
【０２１６】
Ｉ／Ｏインタフェース１１１２は、処理ユニット１１０２と外部のインタフェースモジュールとの間にインタフェースを提供するためのものであって、本実施例では、上記Ｉ／Ｏインターフェースは、ＵＳＢ２．０インターフェース、ＵＳＢ３．０インターフェース、Ｔｙｐｅ  Ｃ  インターフェース又はＬｉｇｈｔｎｉｎｇインターフェース等であってもよい。
【０２１７】
例示的な実施例では、装置１１００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０２１８】
例示的な実施例では、命令を有する非一時的コンピュータ読み取り可能な記録媒体、例えば、命令を有するメモリ１１０４をさらに提供する。前記命令は、装置１１００のプロセッサー１１１８により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０２１９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０２２０】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
0006491320.tif 000002
【図２Ａ】
0006491320.tif 000003
【図２Ｂ】
0006491320.tif 000004
【図２Ｃ】
0006491320.tif 000005
【図３】
0006491320.tif 000006
【図４】
0006491320.tif 000007
【図５】
0006491320.tif 000008
【図６Ａ】
0006491320.tif 000009
【図６Ｂ】
0006491320.tif 000010
【図６Ｃ】
0006491320.tif 000011
【図６Ｄ】
0006491320.tif 000012
【図６Ｅ】
0006491320.tif 000013
【図７】
0006491320.tif 000014
【図８】
0006491320.tif 000015
【図９】
0006491320.tif 000016
【図１０】
0006491320.tif 000017
【図１１】
0006491320.tif 000018